(57)【要約】【課題】空調室内機のメンテナンス時や運転開始時に、可動パネルのスムーズな昇降あるいは回動を実現可能な天井設置式の空調室内機を提供する。【解決手段】天井設置式の空調室内機２は、吸込口２０ａ及び吹出口２０ｂを有する本体２０と、吸込口２０ａを覆う所定位置に配置され、所定位置から移動可能な可動パネル２４と、本体２０内に配置され、吸込口２０ａから空気を吸い込むと共に吹出口２０ｂから空気を吹き出すための室内ファン１３と、可動パネル２４を移動させる駆動機構６、７、８と、室内ファン１３及び駆動機構６、７、８を制御する制御手段９０とを備え、制御手段９０は、可動パネル２４の所定位置からの離間量が第１所定量以下であるときは室内ファン１３を停止させる。【選択図】図２
2010043842.tif 000002
【特許請求の範囲】
【請求項１】
吸込口及び吹出口を有する本体と、
前記吸込口を覆う所定位置を含む複数の位置に移動可能な可動パネルと、
前記本体内に配置され、前記吸込口から空気を吸い込むと共に前記吹出口から空気を吹き出すための室内ファンと、
前記可動パネルを移動させる駆動機構と、
前記室内ファン及び前記駆動機構を制御する制御手段とを備え、
前記制御手段は、前記可動パネルの前記所定位置からの離間量が第１所定量以下であるときは前記室内ファンを停止させることを特徴とする天井設置式の空調室内機。
【請求項２】
前記可動パネルは、前記所定位置に配置された状態において前記吸込口を閉じることを特徴とする請求項１記載の天井設置式の空調室内機。
【請求項３】
前記駆動機構は、前記可動パネルを上下方向に昇降させるものであって、
前記制御手段は、前記可動パネルの前記所定位置からの離間量が前記第１所定量以下であるときは前記室内ファンを停止させることを特徴とする請求項１または２に記載の天井設置式の空調室内機。
【請求項４】
空調運転指示を受け付ける受付手段を備え、
前記制御手段は、前記可動パネルの離間量が前記第１所定量より大きい第２所定量であるときに前記受付手段が前記空調運転指示を受け付けた場合に、前記空調運転指示の受付に同期して前記室内ファンの運転を開始することを特徴とする請求項３記載の天井設置式の空調室内機。
【請求項５】
空調運転指示を受け付ける受付手段を備え、
前記制御手段は、前記可動パネルの離間量が前記第１所定量以下であるときに前記受付手段が前記空調運転指示を受け付けた場合に、前記可動パネルの離間量が前記第１所定量より大きい第２所定量に達した後で前記室内ファンの運転を開始することを特徴とする請求項３記載の天井設置式の空調室内機。
【請求項６】
前記駆動機構は、前記所定位置に配置された前記可動パネルを回動させるものであって、
前記制御手段は、前記可動パネルの前記所定位置からの離間量が前記第１所定量以下であるときは前記室内ファンを停止させることを特徴とする請求項１〜５のいずれか１項に記載の天井設置式の空調室内機。
【請求項７】
空調運転指示を受け付ける受付手段を備え、
前記制御手段は、前記可動パネルの離間量が前記第１所定量より大きい第２所定量であるときに前記受付手段が前記空調運転指示を受け付けた場合に、前記空調運転指示の受付に同期して前記室内ファンの運転を開始することを特徴とする請求項６記載の天井設置式の空調室内機。
【請求項８】
空調運転指示を受け付ける受付手段を備え、
前記制御手段は、前記可動パネルが前記所定位置に配置された状態であるときに前記受付手段による前記空調運転指示の受付に同期して前記可動パネルを回動させると共に、前記可動パネルの離間量が前記第１所定量より大きい第２所定量に達した後で前記室内ファンの運転を開始することを特徴とする請求項６記載の天井設置式の空調室内機。
【請求項９】
前記駆動機構は、
前記可動パネルの一端を回動可能に支持する支持状態と、前記可動パネルの一端の支持を解除する支持解除状態とを切り換えるヒンジ連結装置と、
前記可動パネルに連結されたワイヤを繰り出し又は巻き取ることで前記可動パネルを移動させる昇降装置とを備えていることを特徴とする請求項１〜８のいずれか１項に記載の天井設置式の空調室内機。
【請求項１０】
前記可動パネルの他端を下降不可能に支持するロック状態と、前記可動パネルの他端のロックを解除するロック解除状態とを切り換えるロック装置を備えていることを特徴とする請求項９記載の天井設置式の空調室内機。
【請求項１１】
前記可動パネルは、格子状の格子パネルであることを特徴とする請求項１〜１０のいずれか１項に記載の天井設置式の空調室内機。
【発明の詳細な説明】
【技術分野】
【０００１】
本発明は、天井設置式の空調室内機に関する。
【背景技術】
【０００２】
従来、天井設置式の空調室内機では、吸込グリルをワイヤで吊り下げて、このワイヤを巻き取り又は繰り出すことによって、エアフィルタ等のメンテナンス時に可動パネルを昇降させる空調室内機が開示されている（例えば、特許文献１参照）。このような空気調和機では、メンテナンスが終了すると、ワイヤが巻き取られると共に、可動パネルが本体側の収納部に収納される。
【０００３】
しかしながら、このような従来の空調室内機では、可動パネルの昇降時に、室内ファンの運転によって可動パネルが本体側に吸い込まれ、可動パネルのスムーズな昇降を実現できない場合があった。
【特許文献１】特開平１１−２４２３号公報
【発明の開示】
【発明が解決しようとする課題】
【０００４】
本発明の目的は、空調室内機のメンテナンス時や運転開始時に、可動パネルのスムーズな昇降あるいは回動を実現可能な天井設置式の空調室内機を提供することにある。
【課題を解決するための手段】
【０００５】
第１の発明に係る天井設置式の空調室内機は、吸込口及び吹出口を有する本体と、吸込口を覆う所定位置を含む複数の位置に移動可能な可動パネルと、本体内に配置され、吸込口から空気を吸い込むと共に吹出口から空気を吹き出すための室内ファンと、可動パネルを移動させる駆動機構と、室内ファン及び駆動機構を制御する制御手段とを備え、制御手段は、可動パネルの所定位置からの離間量が第１所定量以下であるときは室内ファンを停止させる。
【０００６】
この天井設置式の空調室内機では、可動パネルの離間量が第１所定量以下であるときに室内ファンによる可動パネルの吸い込みを防止できる。このため、空調室内機のメンテナンス時や運転開始時に、可動パネルが本体側に吸い付くことを防止でき、可動パネルのスムーズな移動を実現できる。
【０００７】
第２の発明に係る天井設置式の空調室内機は、第１の発明に係る天井設置式の空調室内機において、可動パネルは、所定位置に配置された状態において吸込口を閉じる。
【０００８】
この天井設置式の空調室内機では、空調室内機の運転開始時に可動パネルが吸込口を開くことで、室内ファンから吹出口に通じる空気流路を形成できる。
【０００９】
第３の発明に係る天井設置式の空調室内機は、第１または第２の発明に係る天井設置式の空調室内機において、駆動機構は、可動パネルを上下方向に昇降させるものであって、制御手段は、可動パネルの所定位置からの離間量が第１所定量以下であるときは室内ファンを停止させる。
【００１０】
この天井設置式の空調室内機では、空調室内機のメンテナンス等で可動パネルを昇降させる際に、可動パネルの離間量が第１所定量以下であるときに室内ファンの運転による可動パネルの吸い込みを防止できる。このため、可動パネルが本体側に吸い付くことを防止でき、可動パネルのスムーズな昇降を実現できる。
【００１１】
第４の発明に係る天井設置式の空調室内機は、第３の発明に係る天井設置式の空調室内機において、空調運転指示を受け付ける受付手段を備え、制御手段は、可動パネルの離間量が第１所定量より大きい第２所定量であるときに受付手段が空調運転指示を受け付けた場合に、空調運転指示の受付に同期して室内ファンの運転を開始する。
【００１２】
この天井設置式の空調室内機では、受付手段が空調運転指示を受け付けたタイミングで室内ファンの運転を開始できる。このため、可動パネルの離間量が第１所定量より大きい第２所定量であるときに即座に室内ファンの運転を開始できる。
【００１３】
第５の発明に係る天井設置式の空調室内機は、第３の発明に係る天井設置式の空調室内機において、空調運転指示を受け付ける受付手段を備え、制御手段は、可動パネルの離間量が第１所定量以下であるときに受付手段が空調運転指示を受け付けた場合に、可動パネルの離間量が第１所定量より大きい第２所定量に達した後で室内ファンの運転を開始する。
【００１４】
この天井設置式の空調室内機では、可動パネルの離間量が第１所定量より大きい第２所定量に到達した後で室内ファンの運転を開始できる。このため、可動パネルが本体側に吸い付くことをより確実に防止できると共に、室内ファンの運転制御を容易に実現できる。
【００１５】
第６の発明に係る天井設置式の空調室内機は、第１〜５の発明に係る天井設置式の空調室内機において、駆動機構は、所定位置に配置された可動パネルを回動させるものであって、制御手段は、可動パネルの所定位置からの離間量が第１所定量以下であるときは室内ファンを停止させる。
【００１６】
この天井設置式の空調室内機では、空調室内機の運転等で可動パネルの離間量が第１所定量以下に達するときに室内ファンの運転による可動パネルの吸い込みを防止できる。このため、可動パネルが本体側に吸い付くことを防止でき、可動パネルのスムーズな回動を実現できる。
【００１７】
第７の発明に係る天井設置式の空調室内機は、第６の発明に係る天井設置式の空調室内機において、空調運転指示を受け付ける受付手段を備え、制御手段は、可動パネルの離間量が第１所定量より大きい第２所定量であるときに受付手段が空調運転指示を受け付けた場合に、空調運転指示の受付に同期して室内ファンの運転を開始する。
【００１８】
この天井設置式の空調室内機では、受付手段が空調運転指示を受け付けたタイミングで室内ファンの運転を開始できる。このため、可動パネルの離間量が第１所定量より大きい第２所定量であるときに即座に室内ファンの運転を開始できる。
【００１９】
第８の発明に係る天井設置式の空調室内機は、第６の発明に係る天井設置式の空調室内機において、空調運転指示を受け付ける受付手段を備え、制御手段は、可動パネルが所定位置に配置された状態であるときに受付手段による空調運転指示の受付に同期して可動パネルを回動させると共に、可動パネルの離間量が第１所定量より大きい第２所定量に達した後で室内ファンの運転を開始する。
【００２０】
この天井設置式の空調室内機では、可動パネルの離間量が第１所定量より大きい第２所定量に到達した後で室内ファンの運転を開始できる。このため、可動パネルが本体側に吸い付くことをより確実に防止できると共に、室内ファンの運転制御を容易に実現できる。
【００２１】
第９の発明に係る天井設置式の空調室内機は、第１〜８の発明に係る天井設置式の空調室内機において、駆動機構は、可動パネルの一端を回動可能に支持する支持状態と、可動パネルの一端の支持を解除する支持解除状態とを切り換えるヒンジ連結装置と、可動パネルに連結されたワイヤを繰り出し又は巻き取ることで可動パネルを移動させる昇降装置とを備えている。
【００２２】
この天井設置式の空調室内機では、可動パネルの昇降動作や回動動作をヒンジ連結装置と昇降装置で構成された簡易な機構で実現できる。
【００２３】
第１０の発明に係る天井設置式の空調室内機は、第９の発明に係る天井設置式の空調室内機において、可動パネルの他端を下降不可能に支持するロック状態と、可動パネルの他端のロックを解除するロック解除状態とを切り換えるロック装置を備えている。
【００２４】
この天井設置式の空調室内機では、可動パネルの昇降動作や回動動作をヒンジ連結装置、昇降装置及びロック装置で構成された簡易な機構で実現できる。
【００２５】
第１１の発明に係る天井設置式の空調室内機は、可動パネルは、格子状の格子パネルである。
【００２６】
この天井設置式の空調室内機では、格子パネルがゴミや埃等によって目詰まりした場合に、室内ファンによる本体側への吸い込みを防止できる点で特に有効である。
【発明の効果】
【００２７】
第１の発明では、可動パネルの離間量が第１所定量以下であるときに室内ファンによる可動パネルの吸い込みを防止できる。このため、空調室内機のメンテナンス時や運転開始時に、可動パネルが本体側に吸い付くことを防止でき、可動パネルのスムーズな移動を実現できる。
【００２８】
また、第２の発明では、空調室内機の運転開始時に可動パネルが吸込口を開くことで、室内ファンから吹出口に通じる空気流路を形成できる。
【００２９】
また、第３の発明では、空調室内機のメンテナンス等で可動パネルを昇降させる際に、可動パネルの離間量が第１所定量以下であるときに室内ファンの運転による可動パネルの吸い込みを防止できる。このため、可動パネルが本体側に吸い付くことを防止でき、可動パネルのスムーズな昇降を実現できる。
【００３０】
また、第４の発明では、受付手段が空調運転指示を受け付けたタイミングで室内ファンの運転を開始できる。このため、可動パネルの離間量が第１所定量より大きい第２所定量であるときに即座に室内ファンの運転を開始できる。
【００３１】
また、第５の発明では、可動パネルの離間量が第１所定量より大きい第２所定量に到達した後で室内ファンの運転を開始できる。このため、可動パネルが本体側に吸い付くことをより確実に防止できると共に、室内ファンの運転制御を容易に実現できる。
【００３２】
また、第６の発明では、空調室内機の運転等で可動パネルの離間量が第１所定量以下に達するときに室内ファンの運転による可動パネルの吸い込みを防止できる。このため、可動パネルが本体側に吸い付くことを防止でき、可動パネルのスムーズな回動を実現できる。
【００３３】
また、第７の発明では、受付手段が空調運転指示を受け付けたタイミングで室内ファンの運転を開始できる。このため、可動パネルの離間量が第１所定量より大きい第２所定量であるときに即座に室内ファンの運転を開始できる。
【００３４】
また、第８の発明では、可動パネルの離間量が第１所定量より大きい第２所定量に到達した後で室内ファンの運転を開始できる。このため、可動パネルが本体側に吸い付くことをより確実に防止できると共に、室内ファンの運転制御を容易に実現できる。
【００３５】
また、第９の発明では、可動パネルの昇降動作や回動動作をヒンジ連結装置と昇降装置で構成された簡易な機構で実現できる。
【００３６】
また、第１０の発明では、可動パネルの昇降動作や回動動作をヒンジ連結装置、昇降装置及びロック装置で構成された簡易な機構で実現できる。
【００３７】
また、第１１の発明では、格子パネルがゴミや埃等によって目詰まりした場合に、室内ファンによる本体側への吸い込みを防止できる点で特に有効である。
【発明を実施するための最良の形態】
【００３８】
以下図面を参照しながら、本発明の実施形態について説明する。なお、以下の実施形態は、本発明の具体例であって、本発明の技術的範囲を限定するものではない。
【００３９】
図１は、本発明の一実施形態に係る空調室内機の外観斜視図である。図１において、空調室内機２は、下面に吸込口２０ａ及び吹出口２０ｂを有する本体２０と、吸込口２０ａを開閉する可動パネル２４及び吹出口２０ｂを開閉する第１風向調節羽根５２とを備えている。吸込口２０ａと吹出口２０ｂとは一定距離を隔てて隣接しており、吹出口２０ｂから吹き出された空気が吸込口２０ａに吸い込まれる現象、いわゆるショートサーキットが発生しないようになっている。本体２０の下面は、化粧パネル２１によって覆われており、実際に天井面に露出するのは化粧パネル２１であって、吸込口２０ａ及び吹出口２０ｂの輪郭は化粧パネル２１によって形成されている。
【００４０】
図２は、可動パネル２４の回動及び昇降動作を示す説明図である。図２（ａ）は、空調室内機の運転停止時の側面図であり、図２（ｂ）は、その空調室内機の運転時の側面図であり、図２（ｃ）は、メンテナンス時の側面図である。図２（ａ）、（ｂ）、（ｃ）において、空調室内機２が停止しているとき、可動パネル２４は化粧パネル２１と見かけ上一体化している。図２（ｂ）において、空調室内機２が稼動するとき、可動パネル２４は吸込口２０ａを開き、第１風向調節羽根５２は吹出口２０ｂを開く。可動パネル２４の一端は蝶番によって本体２０に支持されており、可動パネル２４は回動して吸込口２０ａを開ける。
【００４１】
また、図２（ｃ）において、可動パネル２４は、本体２０側から延びるワイヤ７１に吊られた状態で使用者の手が届くメンテナンス位置まで降下することができる。但し、可動パネル２４は、一端が蝶番によって本体２０に支持されている状態ではメンテナンス位置まで降下することができないので、一旦、吸込口２０ａを閉じて、本体２０による支持が解除されたのちにメンテナンス位置まで降下する。なお、昇降装置７の詳細については図６、７で、ロック装置８の詳細構造については図８で説明する。
【００４２】
図３は、空調室内機２の断面図である。図３において、空調室内機２は、フィルタ９、フィルタ清掃機構１０、室内熱交換器１２、室内ファン１３、ドレンパン１４及び吹出口モジュール５０をさらに備えている。空調室内機２の運転時、吸込口２０ａ及び吹出口２０ｂが開き、室内ファン１３が回転し、空気が吸込口２０ａから吸い込まれる。
【００４３】
（室内熱交換器１２）
室内熱交換器１２は、２つの熱交換器が異なる傾斜姿勢で隣接した形状をしており、説明の便宜上、上側の熱交換器を上部熱交換器１２ａ、下側の熱交換器を下部熱交換器１２ｂと呼ぶ。
【００４４】
上部熱交換器１２ａの上端は本体２０の内側上部に位置し、上端から下端に向って傾斜する角度は、鉛直線に対して４５°以下に設定されており、結露水が確実に上部熱交換器１２ａを伝わってドレンパン１４に向う。このため、ドレンパン１４は、上部熱交換器１２ａの下方全域に配置される必要が無く、上部熱交換器１２ａの下端近傍の下方にだけ配置されている。
【００４５】
下部熱交換器１２ｂの上端は、上部熱交換器１２ａの下端に近接して配置されており、上端から下端に向って傾斜する角度は、鉛直線に対して４５°を超えている。このため、結露水が直接落下する可能性があるので、ドレンパン１４は、下部熱交換器１２ｂの下方全域に配置されている。
【００４６】
上部熱交換器１２ａは、下部熱交換器１２ｂよりも長い寸法に設定されており、下端コーナーが、下部熱交換器１２ｂの上端中央に近接している。このため、上部熱交換器１２ａを下部熱交換器１２ｂより長くした分量を相殺している。
【００４７】
（室内ファン１３）
室内ファン１３は、クロスフローファンであり、幅寸法が直径よりも長く、回転軸と垂直な方向から空気を吸い込むので、単一の吸込口２０ａから空気を吸い込んで、単一の吹出口２０ｂへ吹き出すことができる。吸い込まれた空気は、フィルタ９及び室内熱交換器１２を通過して室内ファン１３に入る。これ以後、吸込口２０ａから室内ファン１３までの空気流路を吸込流路３１ａと呼ぶ。
【００４８】
室内ファン１３から吹き出された空気は、吹出口モジュール５０を通過して吹出口２０ｂから吹き出される。吹出口２０ｂには、吹出口モジュール５０の構成部品である第１風向調節羽根５２が配置されており、第１風向調節羽根５２は、モータによって傾斜角度の調節が可能であり、運転停止時は、第１風向調節羽根５２が吹出口２０ｂを閉じる。これ以後、室内ファン１３から吹出口２０ｂまでの空気流路を吹出流路（第２吹出流路４１ａ、第１吹出流路５１ａ）と呼ぶ。室内ファン１３とドレンパン１４との間で且つ第２吹出流路４１ａ側には、舌部１５が設けられている。なお、舌部１５は、室内ファン１３及びドレンパン１４とは独立した部材である。
【００４９】
（本体２０）
空調室内機２は、可動パネル２４の上方に、フィルタ清掃機構１０を備えているので、フィルタ清掃機構１０を備えていない標準空調室内機と比較して本体２０の高さ寸法が大きくなる。空調室内機２は、標準空調室内機の本体を利用するために、標準空調室内機の本体に拡張枠を連結している。
【００５０】
＜可動パネル２４の動作に関連する装置＞
図４は、化粧パネル２１の斜視図である。図４に示すように、化粧パネル２１の天井側の面上には、昇降装置７以外に、ヒンジ連結装置６及びロック装置８が配置されている。以下、ヒンジ連結装置６、昇降装置７及びロック装置８の詳細構造について順に説明する。
【００５１】
（ヒンジ連結装置６）
ヒンジ連結装置６は、空調室内機２が稼動するとき、可動パネル２４の一端を回動可能に支持し、可動パネル２４をメンテナンス位置まで降下させるとき、可動パネル２４の一端の支持を解除する。
【００５２】
図５は、ヒンジ連結装置６の分解斜視図である。図５において、ヒンジ連結装置６は、回動部材６１、滑り部材６２、第１ピン６３、ピニオン歯車６４、ヒンジ連結用モータ６５、固定部材６６、第２ピン６７及びネジ６８を有している。回動部材６１は、Ｕ字状の固体物であって、端面から外側に向って棒状の支持軸６１ａが突出している。さらに、回動部材６１の一端部には、軸孔６１ｂが形成されている。
【００５３】
滑り部材６２は、ピニオン歯車６４と噛み合うラック６２ａと、回動部材６１の軸孔６１ｂの両端を挟むアーム６２ｂとが形成されている。さらに、アーム６２ｂには、第１滑り孔６２ｃが形成され、ラック６２ａの根元近傍には、第２滑り孔６２ｄが形成されている。ヒンジ連結用モータ６５は、ステッピングモータであり、ピニオン歯車６４を回転させる。ヒンジ連結用モータ６５は、ネジ６８が通る貫通孔６５ａを有する。ヒンジ連結用モータ６５は、制御部９０に搭載されたモータドライバ回路９０３（図１１）と電気的に接続されている。そして、ヒンジ連結用モータ６５は、モータドライバ回路９０３から供給されるパルス信号によって駆動される。
【００５４】
固定部材６６には、滑り部材６２を滑り移動可能に保持する滑り空間６６ａと、ピニオン歯車６４が挿入される歯車空間６６ｂと、ネジ６８と螺合するネジ孔６６ｃとが形成されている。さらに、滑り空間６６ａを形成する壁には、第１貫通孔６６ｄと第２貫通孔６６ｅとが形成されている。
【００５５】
固定部材６６の滑り空間６６ａに滑り部材６２が配置され、その滑り部材６２のアーム６２ｂに回動部材６１の軸孔６１ｂが挟まれるように配置される。第１ピン６３は、固定部材６６の第１貫通孔６６ｄの一端から挿入され、滑り部材６２の第１滑り孔６２ｃ及び回動部材６１の軸孔６１ｂを通って第１貫通孔６６ｄの他端に出る。
【００５６】
第２ピン６７は、第２貫通孔６６ｅの一端から挿入され、滑り部材６２の第２滑り孔６２ｄを通って第２貫通孔６６ｅの他端に出る。その結果、滑り部材６２は、第１ピン６３及び第２ピン６７に沿って滑り空間を水平移動することができ、回動部材６１は、第１ピン６３を中心に回動することができる。
【００５７】
（ヒンジ連結装置６の動作）
図４、図５において、ヒンジ連結用モータ６５がピニオン歯車６４を回転させると、ピニオン歯車６４と噛み合うラック６２ａに動力が伝達されて滑り部材６２は第１ピン６３に沿って滑り移動し、滑り部材６２の移動に伴って回動部材６１が可動パネル２４の方向、或はその反対の方向へ移動する。ここで説明の便宜上、回動部材６１を可動パネル２４と連結する方向へ移動するようにヒンジ連結用モータ６５が回転することを正転と呼び、回動部材６１と可動パネル２４との連結を解除する方向へ移動するようにヒンジ連結用モータ６５が回転することを逆転と呼ぶ。
【００５８】
可動パネル２４の端部には、回動部材６１に支持軸６１ａと対峙する支持孔（図示せず）が設けられており、ヒンジ連結用モータ６５が正転し、支持軸６１ａが可動パネル２４の支持孔２４ｃに挿入されたときは、回動部材６１と可動パネル２４との連結が成立し、可動パネル２４は、第１ピン６３を中心に回動することができる（支持状態）。
【００５９】
一方、ヒンジ連結用モータ６５が逆転し、支持軸６１ａが可動パネル２４の支持孔２４ｃから抜け出たときは、回動部材６１と可動パネル２４との連結が解消され、可動パネル２４は、第１ピン６３を中心に回動することができない（支持解除状態）。
【００６０】
（昇降装置７）
図６は、昇降装置７の分解斜視図である。図６において、昇降装置７は、ワイヤ７１、滑車７２、ボビン７３、巻取り歯車７４、駆動歯車７５、昇降用モータ７６、スイッチ７７及びケース７８を有している。
【００６１】
滑車７２は、滑車部７２ａとカム部７２ｂとが一体に成形されており、滑車部７２ａは、ワイヤ７１を支え、ワイヤ７１の移動に伴って回転する。カム部７２ｂは、小径曲面と大径曲面とそれら両曲面を結ぶ平面とから成る。
【００６２】
ボビン７３は、ワイヤ７１を巻取る。巻取り歯車７４は、ボビン７３と同軸で連結され一体的に回転する。駆動歯車７５は、巻取り歯車７４と噛み合いボビン７３を回転させる。
【００６３】
昇降用モータ７６は、駆動歯車７５を回転させるためのステッピングモータであり、制御部９０（図１１）に搭載されたモータドライバ回路９０４と電気的に接続されている。そして、昇降用モータ７６は、モータドライバ回路９０４から供給されるパルス信号によって駆動される。
【００６４】
スイッチ７７は、レバー７７ａを有するマイクロスイッチであり、レバー７７ａが押されることによってオンする。レバー７７ａは、常に滑車７２のカム部７２ｂと接触しており、カム部７２ｂの大径曲面と対峙したときに押される。スイッチ７７も、制御部９０（図１１）と電気的に接続されている。
【００６５】
ケース７８は、支持ケース７８ａとカバー７８ｂとに分割されている。支持ケース７８ａには、滑車７２を支持する第１軸７９ａ、ボビン７３と巻取り歯車７４とを支持する第２軸７９ｂ、スイッチ７７を支持する第３軸７９ｃが形成されている。カバー７８ｂは、支持ケース７８ａに支持された各部品を覆って保護する。
【００６６】
（昇降装置７の動作）
図７は、昇降装置７内部の部品の配置図である。図７において、昇降装置７がワイヤ７１を繰り出す場合、昇降用モータ７６は駆動歯車７５をＣＣＷ方向へ回転させ、巻取り歯車７４をＣＷ方向へ回転させる。これによって、ボビン７３がワイヤ７１を繰り出す方向に回転する。
【００６７】
一方、昇降装置７がワイヤ７１を巻き取る場合、昇降用モータ７６は駆動歯車７５をＣＷ方向へ回転させ、巻取り歯車７４をＣＣＷ方向へ回転させる。これによって、ボビン７３がワイヤ７１を巻き取る方向に回転する。ワイヤ７１の繰り出し量および巻き取り量は、昇降用モータ７６の回転量に比例しており、制御部９０が、昇降用モータ７６へ供給するパルス信号を制御することによって、ワイヤ７１の繰り出し量および巻き取り量が制御される。
【００６８】
ワイヤ７１の先端には可動パネル２４が連結されるため、ワイヤ７１には常に張力が発生しており、ワイヤ７１が繰り出されるとき、又はワイヤ７１が巻き取られるとき、滑車部７２ａがワイヤ７１との摩擦力によって回転する。このとき、カム部７２ｂも回転するので、スイッチ７７は、レバー７７ａがカム部７２ｂの大径曲面と対峙したときにオン信号を発し、レバー７７ａが小径曲面と対峙したときにはオフ信号を発する。滑車７２が回転している間は、オン信号とオフ信号が交互に発生し、これらの信号は、すべて制御部９０に入力される。
【００６９】
（ロック装置８）
可動パネル２４が吸込口２０ａを閉じているとき、可動パネル２４を本体２０に支持しているのは、ヒンジ連結装置６と昇降装置７である。不測の要因で、ヒンジ連結装置６が誤動作し可動パネル２４の支持を解除し、昇降装置７のワイヤ７１が緩んでしまったときでも可動パネル２４が落下しないように、空調室内機２はロック装置８をさらに備えている。
【００７０】
図８は、ロック装置８の斜視図である。図８において、ロック装置８は、可動体８１、第１保持部８２、第２保持部８３、ロック用モータ８４及びスプリング８５を有している。可動体８１は、四角柱形状を成し、その一端には傾斜面８１１が形成され、全長が最長である長側面８１２には所定の歯車と噛み合うラック８１ａが形成され、ラック８１ａの下方には中空部８１ｂが形成されている。可動体８１は、長側面８１２を鉛直上方に向け、第１保持部８２に移動可能な状態で保持されている。
【００７１】
第１保持部８２は、上面と一側面とが開放された直方体形状の筐体であり、底面に案内溝８２ａが形成されており、可動体８１がその案内溝８２ａに沿って水平移動する。案内溝８２ａの両端は壁８２１、８２２で挟まれており、一方の壁８２１には可動体８１が通る貫通口８２ｂが形成されている。案内溝８２ａの両端を挟む壁８２１、８２２には壁８２３が隣接しており、壁８２３には、案内溝８２ａと直交する方向に突出する板状突起８２ｃが形成されている。可動体８１は第１保持部８２に保持されているとき、傾斜面８１１は常に第１保持部８２の外側に位置し、ラック８１ａは常に第１保持部８２の内部に位置する。そして、第１保持部８２の板状突起８２ｃは、可動体８１の中空部８１ｂを貫通している。
【００７２】
壁８２３は、ロック用モータ８４を固定し、ロック用モータ８４の回転軸に連結されたピニオン歯車８４ａを回転可能に支持している。ピニオン歯車８４ａは、可動体８１のラック８１ａと噛み合い、ラック＆ピニオン機構を成している。可動体８１の中空部８１ｂには、スプリング８５が収納されている。スプリング８５は、圧縮コイルスプリングであって、中空部８１ｂの端部と板状突起８２ｃとで挟まれている。
【００７３】
第２保持部８３は、可動体８１が通る案内孔８３ａが形成された固体物であって、可動パネル２４側に設置される。第２保持部８３の上面には滑らかな曲面８３１が形成されている。ロック用モータ８４は、制御部９０（図１１）に搭載されたモータドライバ回路９０５と電気的に接続されている。そして、ロック用モータ８４は、モータドライバ９４（図１１）から供給されるパルス信号によって駆動される。
【００７４】
（ロック装置８の動作）
図８において、可動体８１は、第１保持体８２と第２保持体８３に保持された状態であり、その状態でロック用モータ８４がピニオン歯車８４ａをＣＣＷ方向へ回転させたとき、ピニオン歯車８４ａの回転運動はラック８１ａによって直線運動に変換され、可動体８１が壁８２２に向って滑り移動する。可動体８１が所定距離移動したとき、可動体８１は第２保持部８３の案内孔８３ａから離れる。可動体８１を保持しない第２保持体８３は、上下方向の移動が許容されるので、可動パネル２４の降下を妨げない（ロック解除状態）。
【００７５】
可動体８１の移動によって、中空部８１ｂの側面と板状突起８２ｃとの距離が短くなるので、スプリング８５は圧縮され反発力を貯える。ロック用モータ８４は、電力が供給されている間、スプリング８５の増加する反発力に抗して回転するが、電力が供給されなくなったとき、スプリング８５の反発力によって逆回転し、可動体８１は元の位置へ復帰する。
【００７６】
可動パネル２４が降下せず第２保持部８３が移動していないとき、可動体８１は第２保持部８３の案内孔８３ａに入る。一方、可動パネル２４が降下して第２保持部８３が移動しているとき、第２保持部８３が復帰する軌道上で待機する。そして、可動パネル２４が上昇して吸込口２０ａを閉じたとき、第２保持部８３は、曲面８３１を可動体８１の傾斜面８１１に当てて、可動体８１を押しのけて復帰する。
【００７７】
第２保持部８３に押された可動体８１は、水平移動しスプリング８５を圧縮する。第２保持部８３が完全に復帰したとき、可動体８１は、第２保持部８３の案内孔８３ａを貫通する。その結果、可動体８１が可動パネル２４の降下を妨げることになる（ロック状態）。
【００７８】
（可動パネルの開閉動作）
図９は、可動パネル２４が吸込口を開いた状態の斜視図である。図９において、ヒンジ連結装置６が可動パネル２４を連結した状態で、ロック装置８がロックを解除し、昇降装置７がワイヤ７１を繰り出したとき、可動パネル２４は自重によって降下する。しかし、可動パネル２４の端部はヒンジ連結装置６に連結されているので、可動パネル２４は端部を軸として吸込口２０ａを開く方向へ回動する。
【００７９】
一方、昇降装置７がワイヤ７１を巻き取るとき、可動パネル２４は上昇するが、可動パネル２４の端部がヒンジ連結装置６に連結されているので、可動パネル２４は端部を軸として吸込口２０ａを閉じる方向へ回動する。可動パネル２４が吸込口２０ａを完全に閉じたとき、ロック装置８が可動パネル２４をロックする。
【００８０】
（可動パネルの昇降動作）
図１０は、可動パネル２４が降下している状態の斜視図である。図１０において、ヒンジ連結装置６が可動パネル２４の端部との連結を解除し、ロック装置８が可動パネル２４のロックを解除し、昇降装置７がワイヤ７１を繰り出したとき、可動パネル２４は自重によって降下する。一方、昇降装置７がワイヤ７１を巻き取るとき、可動パネル２４は上昇し、可動パネル２４が吸込口２０ａを完全に閉じたとき、ロック装置８が可動パネル２４をロックする。
【００８１】
図１１は、空気調和機２の要部を示すブロック図である。制御部９０（制御手段）には、室内ファン１３を運転制御するファン運転制御部９０１と、リモートコントローラ９１と有線又は無線により通信可能に接続された運転指示受付部９０２（受付手段）と、ヒンジ連結用モータ６５と電気的に接続されたモータドライバ回路９０３と、昇降用モータ７６と電気的に接続されたモータドライバ回路９０４と、ロック用モータ８４と電気的に接続されたモータドライバ回路９０５とが搭載されている。
【００８２】
ヒンジ連結用モータ６５は、モータドライバ回路９０３によって駆動される。そして、ヒンジ連結用モータ６５の正転によって、可動パネル２４（図２）は、第１ピン６３（図５）を中心に回動することができる。一方、ヒンジ連結用モータ６５の逆転によって、可動パネル２４は、第１ピン６３を中心に回動することが規制される。
【００８３】
昇降用モータ７６は、モータドライバ回路９０４によって駆動される。そして、昇降用モータ７６が駆動歯車７５（図６）をＣＣＷ方向へ回転させることによって、昇降装置７はワイヤ７１（図６）を繰り出すことができる。一方、昇降モータ７６が駆動歯車７５をＣＷ方向へ回転させることによって、昇降装置７はワイヤ７１を巻き取ることができる。
【００８４】
ロック用モータ８４は、モータドライバ回路９０５によって駆動される。そして、ロック用モータ８４がピニオン歯車８４ａ（図８）をＣＣＷ方向へ回転させることによって、ロック装置８は可動パネル２４の降下させることができる。一方、ロック用モータ８４がスプリング８５の反発力によって逆回転することで、ロック装置８は可動パネル２４の降下を規制することができる。
【００８５】
図１２〜図２１は、室内ファン１３の動作と可動パネル２４の動作の関係を示す説明図である。
【００８６】
図１２は、室内ファン１３の運転開始タイミングと可動パネル２４の開動作との関係を示している。この例では、時刻ｔ１において、空調室内機２も室内ファン１３も共に停止しており、可動パネル２４は吸込口２０ａを閉じる位置に配置された状態で本体２０に収納されている（パネル収納状態）。この収納状態では、ワイヤ７１は繰り出し量が最小値０に達した状態で昇降装置７に巻き取られている。
【００８７】
時刻ｔ２において、運転指示受付部９０２（図１１）が空調室内機２の運転指示を受け付ける。この受付に同期して、昇降装置７によるワイヤ７１の繰り出しが開始され、吸込口２０ａを開く方向に可動パネル２４の回動が開始される。そして、時刻ｔ３においてワイヤ７１の繰り出し量（離間量）がＳ１（第１所定量）に達したタイミングで、室内ファン１３の運転が開始される。
【００８８】
この例では、ワイヤ７１の繰り出し量がファンＯＮ禁止開度である時刻ｔ２から時刻ｔ３までの期間に、室内ファン１３を運転することを防止できる。なお、本発明において、「ファンＯＮ禁止開度」とは、ワイヤ７１の繰り出し量がＳ１（第１所定量）以下となる場合であって、可動パネル２４が室内ファン１３の運転によって本体２０側に吸い込まれる状態を意味する。したがって、本実施形態では、可動パネル２４の回動時に可動パネル２４が本体２０側に吸い付くことを防止でき、可動パネル２４のスムーズな開動作を実現できる。そして、時刻ｔ４においてワイヤ７１の繰り出し量がＳ２に達したタイミングで、可動パネル２４は吸込口２０ａを完全に開く（パネル開状態）。
【００８９】
図１３は、室内ファン１３の運転開始タイミングと可動パネル２４の開動作との関係を示している。この例では、図１２と異なり、室内ファン１３の運転は、ワイヤ７１の繰り出し量（離間量）がＳ２（第２所定量）である時刻ｔ４において開始される。この例では、図１２と同様に、ワイヤ７１の繰り出し量がファンＯＮ禁止開度である時刻ｔ２から時刻ｔ３までの期間に、室内ファン１３を運転することを防止できる。さらに、可動パネル２４が吸込口２４を完全に開いたタイミングで室内ファン１３の運転を開始できるため、室内ファン１３の運転制御を容易に実現できる。
【００９０】
図１４は、室内ファン１３の運転開始タイミングと可動パネル２４の開動作との関係を示している。この例では、図１３と異なり、室内ファン１３の運転は、ワイヤ７１の繰り出し量（離間量）がＳ２（第２所定量）になった時刻ｔ４より後である時刻ｔ５において開始される。この例では、図１２と同様に、ワイヤ７１の繰り出し量がファンＯＮ禁止開度である時刻ｔ２から時刻ｔ３までの期間に、室内ファン１３を運転することを防止できる。さらに、可動パネル２４が吸込口２４を完全に開いた後で室内ファン１３の運転を開始できるため、室内ファン１３の運転制御を容易に実現できる。
【００９１】
図１５は、室内ファン１３の運転停止タイミングと可動パネル２４の閉動作との関係を示している。この例では、時刻ｔ１において、空調室内機２も室内ファン１３も共に運転中である。また、この初期状態では、可動パネル２４が開いた状態でワイヤ７１の繰り出し量はＳ２に達している（パネル開状態）。そして、時刻ｔ２において、運転指示受付部９０２（図１１）が空調室内機２の運転停止指示を受け付ける。この受付に同期して、可動パネル２４を本体２０に収納するためにワイヤ７１の巻き取りが開始される。
【００９２】
その後、ワイヤ７１の繰り出し量（離間量）がＳ１（第１所定量）である時刻ｔ３において、室内ファン１３の運転が停止される。そして、時刻ｔ４においてワイヤ７１の繰り出し量が０に達したタイミングで、可動パネル２４の収納が完了する（パネル収納状態）。このように、本実施形態では、ワイヤ７１の繰り出し量がファンＯＮ禁止開度である時刻ｔ３から時刻ｔ４までの期間に、室内ファン１３を運転することを防止できる。このため、可動パネル２４が本体２０側に吸い付くことを防止でき、可動パネル２４のスムーズな閉動作を実現できる。
【００９３】
図１６は、室内ファン１３の運転停止タイミングと可動パネル２４の閉動作との関係を示している。この例では、図１５と異なり、室内ファン１３の運転は、運転指示受付部９０２（図１１）が空調室内機２の運転停止指示を受け付ける時刻ｔ２において停止される。この例では、ワイヤ７１の繰り出し量（離間量）がＳ２（第２所定量）であってファンＯＮ禁止開度に到達する前に室内ファン１３の運転を停止させることができる。このため、可動パネル２４が本体２０側に吸い付くことをより確実に防止できる。
【００９４】
図１７は、室内ファン１３の運転開始タイミングと可動パネル２４の上昇動作及び開動作との関係を示している。この例では、時刻ｔ１において、空調室内機２も室内ファン１３も共に停止中であり、可動パネル２４はメンテナンス位置まで降下し、ワイヤ７１の繰り出し量は最大のＳmaxに達している。そして、この時刻ｔ１において、可動パネル２４を上昇させて本体２０に収納するためにワイヤ７１の巻き取りが開始される。
【００９５】
時刻ｔ２において、運転指示受付部９０２は空調室内機２の運転指示を受け付ける。そして、時刻ｔ３において、ワイヤ７１の繰り出し量（離間量）がＳ１（第１所定量）に達した後も、さらにワイヤ７１が巻き取られ、時刻ｔ４において、その繰り出し量は最小値０である。この時刻ｔ４において、可動パネル２４は本体２０に一旦収納されると共に、吸込口２０ａを開く方向に回動する。時刻ｔ５において、ワイヤ７１の繰り出し量（離間量）がＳ１（第１所定量）に達したタイミングで室内ファン１３の運転が開始される。
【００９６】
時刻ｔ６において、ワイヤ７１の繰り出し量がＳ２に達し、可動パネル２４は吸込口２０ａを完全に開く（パネル開状態）。このように、本実施形態では、ワイヤ７１の繰り出し量がファンＯＮ禁止開度である時刻ｔ３から時刻ｔ５までの期間に、室内ファン１３を運転することを防止できる。このため、可動パネル２４が本体２０側に吸い付くことを防止でき、可動パネル２４のスムーズな上昇動作及び開動作を実現できる。
【００９７】
図１８は、室内ファン１３の運転開始タイミングと可動パネル２４の上昇動作及び開動作との関係を示している。この例では、図１７と異なり、室内ファン１３の運転は、ワイヤ７１の繰り出し量（離間量）がＳ２（第２所定量）である時刻ｔ６において開始される。この例では、図１７と同様に、ワイヤ７１の繰り出し量がファンＯＮ禁止開度である時刻ｔ３から時刻ｔ５までの期間に、室内ファン１３を運転することを防止できる。さらに、可動パネル２４が吸込口２４を完全に開いたタイミングで室内ファン１３の運転を開始できるため、室内ファン１３の運転制御を容易に実現できる。
【００９８】
図１９は、室内ファン１３の運転開始タイミングと可動パネル２４の上昇動作及び開動作との関係を示している。この例では、図１８と異なり、室内ファン１３の運転は、ワイヤ７１の繰り出し量（離間量）がＳ２（第２所定量）になった時刻ｔ６より後である時刻ｔ７において開始される。この例では、図１８と同様に、ワイヤ７１の繰り出し量がファンＯＮ禁止開度である時刻ｔ３から時刻ｔ５までの期間に、室内ファン１３を運転することを防止できる。さらに、可動パネル２４が吸込口２４を完全に開いた後で室内ファン１３の運転を開始できるため、室内ファン１３の運転制御を容易に実現できる。
【００９９】
図２０は、室内ファン１３の運転開始タイミングと可動パネル２４の下降動作との関係を示している。この例では、時刻ｔ１において、空調室内機２も室内ファン１３も共に停止しており、可動パネル２４は、ワイヤ７１の繰り出し量が最小値０に達した状態で本体２０に収納されている（パネル収納状態）。この初期状態から、可動パネル２４をメンテナンス位置まで降下させるためにワイヤ７１の繰り出しが開始される。
【０１００】
時刻ｔ２において、運転指示受付部９０２は空調室内機２の運転指示を受け付ける。受付後も、さらにワイヤ７１が繰り出され、時刻ｔ３において、その繰り出し量（離間量）がＳ１（第１所定量）に到達したタイミングで、室内ファン１３の運転が開始される。そして、時刻ｔ４において、ワイヤ７１の繰り出し量は最大値Ｓmaxに達し、可動パネル２４はメンテナンス位置に到達する。この例では、ワイヤ７１の繰り出し量がファンＯＮ禁止開度である時刻ｔ１から時刻ｔ３までの期間に、室内ファン１３を運転することを防止できる。このため、可動パネル２４が本体２０側に吸い付くことを防止でき、可動パネル２４のスムーズな下降動作を実現できる。
【０１０１】
図２１は、室内ファン１３の運転開始タイミングと可動パネル２４の下降動作との関係を示している。この例では、図２０と異なり、室内ファン１３の運転は、ワイヤ７１の繰り出し量（離間量）がＳmax（第２所定量）である時刻ｔ４において開始される。この例では、図２０と同様に、ワイヤ７１の繰り出し量がファンＯＮ禁止開度である時刻ｔ１から時刻ｔ３までの期間に、室内ファン１３を運転することを防止できる。さらに、可動パネル２４がメンテナンス位置に到達したタイミングで室内ファン１３の運転を開始できるため、室内ファン１３の運転制御を容易に実現できる。
【０１０２】
図２２は、室内ファン１３の運転開始及び運転停止タイミングと可動パネル２４の上昇動作及び開動作との関係を示している。この例では、時刻ｔ１において、可動パネル２４は、ワイヤ７１の繰り出し量（離間量）が最大値Ｓmax（第２所定量）であると共に、運転指示受付部９０２が空調室内機２の運転指示を受け付けて、室内ファン１３の運転が開始される。このため、運転指示の受付に同期して即座に室内ファン１３の運転を開始できる。
【０１０３】
この初期状態から、可動パネル２４を本体２０に収納するためにワイヤ７１の巻き取りが開始される。そして、ワイヤ７１の繰り出し量（離間量）がＳ１（第１所定量）である時刻ｔ２において、室内ファン１３の運転が停止される。室内ファン１３の運転停止後も、さらにワイヤ７１が巻き取られ、時刻ｔ３において、ワイヤ７１の繰り出し量が最小値０に達し、可動パネル２４は本体２０に一旦収納されると共に（パネル収納状態）、吸込口２０ａを開く方向に回動する。そして、室内ファン１３の運転は、ワイヤ７１の繰り出し量（離間量）がＳ１（第１所定量）である時刻ｔ４に再開される。
【０１０４】
運転再開後の時刻ｔ５において、ワイヤ７１の繰り出し量はＳ２に達し、可動パネル２４は吸込口２０ａを完全に開く（パネル開状態）。この例では、ワイヤ７１の繰り出し量がファンＯＮ禁止開度である時刻ｔ２から時刻ｔ４までの期間に、室内ファン１３を運転することを防止できる。このため、可動パネル２４が本体２０側に吸い付くことを防止でき、可動パネル２４のスムーズな上昇動作及び開動作を実現できる。
【０１０５】
図２３は、室内ファン１３の運転開始及び運転停止タイミングと可動パネル２４の閉動作及び下降動作との関係を示している。この例では、時刻ｔ１において、ワイヤ７１の繰り出し量（離間量）は、可動パネル２４が吸込口２０ａを開いた状態でＳ２（第２所定量）であると共に（パネル開状態）、運転指示受付部９０２が空調室内機２の運転指示を受け付けて、室内ファン１３の運転が開始される。このため、運転指示の受付に同期して即座に室内ファン１３の運転を開始できる。
【０１０６】
時刻ｔ２において、可動パネル２４で吸込口２０ａを閉じるためにワイヤ７１の巻き取りが開始される。そして、ワイヤ７１の繰り出し量（離間量）がＳ１（第１所定量）である時刻ｔ３において、室内ファン１３の運転が停止される。室内ファン１３の運転停止後も、さらにワイヤ７１が巻き取られ、時刻ｔ４において、ワイヤ７１の繰り出し量が最小値０に達し、可動パネル２４は吸込口２０ａを一旦閉じると共に（パネル収納状態）、メンテナンス位置への下降を開始する。
【０１０７】
そして、ワイヤ７１の繰り出し量（離間量）がＳ１（第１所定量）である時刻ｔ５において、室内ファン１３の運転が再開される。運転再開後の時刻ｔ６において、ワイヤ７１の繰り出し量はＳmaxに達し、可動パネル２４はメンテナンス位置に到達する。このように、本実施形態では、ワイヤ７１の繰り出し量がファンＯＮ禁止開度である時刻ｔ３から時刻ｔ５までの期間に、室内ファン１３を運転することを防止できる。このため、可動パネル２４が本体２０側に吸い付くことを防止でき、可動パネル２４のスムーズな閉動作及び下降動作を実現できる。
【０１０８】
以上、本発明の実施形態について図面に基づいて説明したが、具体的な構成は、これらの実施形態に限定されるものでないと考えられるべきである。本発明の範囲は、上述した実施形態の説明だけではなく特許請求の範囲によって示され、さらに特許請求の範囲と均等の意味及び範囲内でのすべての変更が含まれる。
【０１０９】
なお、図２４に示すように、可動パネル２４は格子状の格子パネルとして形成されてもよい。この格子パネルが埃やゴミ等によって目詰まりした場合に、室内ファン１３による本体２０側への吸い込みを防止できる点で特に有効である。
【産業上の利用可能性】
【０１１０】
本発明を利用すれば、空調室内機のメンテナンス時や運転開始時に、可動パネルのスムーズな昇降あるいは回動を実現可能な天井設置式の空調室内機を提供できる。
【図面の簡単な説明】
【０１１１】
【図１】本発明の一実施形態に係る空調室内機の外観斜視図である。
【図２】可動パネルの回動及び降下動作を示す説明図である。
【図３】空調室内機の断面図である。
【図４】化粧パネルの斜視図である。
【図５】ヒンジ連結装置の分解斜視図である。
【図６】昇降装置の分解斜視図である。
【図７】昇降装置内部の部品の配置図である。
【図８】ロック装置の斜視図である。
【図９】可動パネルが吸込口を開いた状態の斜視図である。
【図１０】可動パネルが降下している状態の斜視図である。
【図１１】空気調和機の要部を示すブロック図である。
【図１２】室内ファンの運転開始タイミングと可動パネルの開動作との関係を示す説明図である。
【図１３】室内ファンの運転開始タイミングと可動パネルの開動作との関係を示す説明図である。
【図１４】室内ファンの運転開始タイミングと可動パネルの開動作との関係を示す説明図である。
【図１５】室内ファンの運転停止タイミングと可動パネルの閉動作との関係を示す説明図である。
【図１６】室内ファンの運転停止タイミングと可動パネルの閉動作との関係を示す説明図である。
【図１７】室内ファンの運転開始タイミングと可動パネルの上昇動作及び開動作との関係を示す説明図である。
【図１８】室内ファンの運転開始タイミングと可動パネルの上昇動作及び開動作との関係を示す説明図である。
【図１９】室内ファンの運転開始タイミングと可動パネルの開動作との関係を示す説明図である。
【図２０】室内ファンの運転開始タイミングと可動パネルの下降動作との関係を示す説明図である。
【図２１】室内ファンの運転開始タイミングと可動パネルの下降動作との関係を示す説明図である。
【図２２】室内ファンの運転開始及び運転停止タイミングと可動パネルの上昇動作及び開動作との関係を示す説明図である。
【図２３】室内ファンの運転開始及び運転停止タイミングと可動パネルの閉動作及び下降動作との関係を示す説明図である。
【図２４】化粧パネルの斜視図である。
【符号の説明】
【０１１２】
２  空調室内機
６  ヒンジ連結装置（駆動機構）
７  昇降機構（駆動機構）
８  ロック装置（駆動機構）
１３  室内ファン
２０  本体
２０ａ  吸込口
２０ｂ  吹出口
２１  化粧パネル
２４  可動パネル
９０  制御部（制御手段）
９１  リモートコントローラ
９０２  運転指示受付部（受付手段）
【図１】
2010043842.tif 000003
【図２】
2010043842.tif 000004
【図３】
2010043842.tif 000005
【図４】
2010043842.tif 000006
【図５】
2010043842.tif 000007
【図６】
2010043842.tif 000008
【図７】
2010043842.tif 000009
【図８】
2010043842.tif 000010
【図９】
2010043842.tif 000011
【図１０】
2010043842.tif 000012
【図１１】
2010043842.tif 000013
【図１２】
2010043842.tif 000014
【図１３】
2010043842.tif 000015
【図１４】
2010043842.tif 000016
【図１５】
2010043842.tif 000017
【図１６】
2010043842.tif 000018
【図１７】
2010043842.tif 000019
【図１８】
2010043842.tif 000020
【図１９】
2010043842.tif 000021
【図２０】
2010043842.tif 000022
【図２１】
2010043842.tif 000023
【図２２】
2010043842.tif 000024
【図２３】
2010043842.tif 000025
【図２４】
2010043842.tif 000026
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
吸込口及び吹出口を有する本体と、
前記吸込口を覆う所定位置を含む複数の位置に移動可能な可動パネルと、
前記本体内に配置され、前記吸込口から空気を吸い込むと共に前記吹出口から空気を吹き出すための室内ファンと、
前記可動パネルを上下方向に昇降させる駆動機構と、
前記室内ファン及び前記駆動機構を制御する制御手段と、
空調運転指示を受け付ける受付手段とを備え、
前記制御手段は、前記可動パネルの前記所定位置からの離間量が第１所定量以下であるときは前記室内ファンを停止させると共に、
前記可動パネルの離間量が前記第１所定量より大きい第２所定量であるときに前記受付手段が前記空調運転指示を受け付けた場合に、前記空調運転指示の受付に同期して前記室内ファンの運転を開始することを特徴とする天井設置式の空調室内機。
【請求項２】
吸込口及び吹出口を有する本体と、
前記吸込口を覆う所定位置を含む複数の位置に移動可能な可動パネルと、
前記本体内に配置され、前記吸込口から空気を吸い込むと共に前記吹出口から空気を吹き出すための室内ファンと、
前記可動パネルを上下方向に昇降させる駆動機構と、
前記室内ファン及び前記駆動機構を制御する制御手段と、
空調運転指示を受け付ける受付手段とを備え、
前記制御手段は、前記可動パネルの前記所定位置からの離間量が第１所定量以下であるときは前記室内ファンを停止させると共に、
前記可動パネルの離間量が前記第１所定量以下であるときに前記受付手段が前記空調運転指示を受け付けた場合に、前記可動パネルの離間量が前記第１所定量より大きい第２所定量に達した後で前記室内ファンの運転を開始することを特徴とする天井設置式の空調室内機。
【請求項３】
吸込口及び吹出口を有する本体と、
前記吸込口を覆う所定位置を含む複数の位置に移動可能な可動パネルと、
前記本体内に配置され、前記吸込口から空気を吸い込むと共に前記吹出口から空気を吹き出すための室内ファンと、
前記所定位置に配置された前記可動パネルを回動させる駆動機構と、
前記室内ファン及び前記駆動機構を制御する制御手段と、
空調運転指示を受け付ける受付手段とを備え、
前記制御手段は、前記可動パネルの前記所定位置からの離間量が第１所定量以下であるときは前記室内ファンを停止させると共に、
前記可動パネルの離間量が前記第１所定量より大きい第２所定量であるときに前記受付手段が前記空調運転指示を受け付けた場合に、前記空調運転指示の受付に同期して前記室内ファンの運転を開始することを特徴とする天井設置式の空調室内機。
【請求項４】
吸込口及び吹出口を有する本体と、
前記吸込口を覆う所定位置を含む複数の位置に移動可能な可動パネルと、
前記本体内に配置され、前記吸込口から空気を吸い込むと共に前記吹出口から空気を吹き出すための室内ファンと、
前記所定位置に配置された前記可動パネルを回動させる駆動機構と、
前記室内ファン及び前記駆動機構を制御する制御手段と、
空調運転指示を受け付ける受付手段とを備え、
前記制御手段は、前記可動パネルの前記所定位置からの離間量が第１所定量以下であるときは前記室内ファンを停止させると共に、
前記可動パネルが前記所定位置に配置された状態であるときに前記受付手段が前記空調運転指示を受け付けた場合に、前記空調運転指示の受付に同期して前記可動パネルを回動させると共に、前記可動パネルの離間量が前記第１所定量より大きい第２所定量に達した後で前記室内ファンの運転を開始することを特徴とする天井設置式の空調室内機。
【請求項５】
前記可動パネルは、前記所定位置に配置された状態において前記吸込口を閉じることを特徴とする請求項１〜４のいずれか１項に記載の天井設置式の空調室内機。
【請求項６】
前記可動パネルは、格子状の格子パネルであることを特徴とする請求項１〜４のいずれか１項に記載の天井設置式の空調室内機。
【請求項７】
前記駆動機構は、
前記可動パネルの一端を回動可能に支持する支持状態と、前記可動パネルの一端の支持を解除する支持解除状態とを切り換えるヒンジ連結装置と、
前記可動パネルに連結されたワイヤを繰り出し又は巻き取ることで前記可動パネルを移動させる昇降装置とを備えていることを特徴とする請求項１〜６のいずれか１項に記載の天井設置式の空調室内機。
【請求項８】
前記可動パネルの他端を下降不可能に支持するロック状態と、前記可動パネルの他端のロックを解除するロック解除状態とを切り換えるロック装置を備えていることを特徴とする請求項７記載の天井設置式の空調室内機。 
【手続補正２】
【補正対象書類名】明細書
【補正対象項目名】全文
【補正方法】変更
【補正の内容】
【発明の詳細な説明】
【技術分野】
【０００１】
本発明は、天井設置式の空調室内機に関する。
【背景技術】
【０００２】
従来、天井設置式の空調室内機では、吸込グリルをワイヤで吊り下げて、このワイヤを巻き取り又は繰り出すことによって、エアフィルタ等のメンテナンス時に可動パネルを昇降させる空調室内機が開示されている（例えば、特許文献１参照）。このような空気調和機では、メンテナンスが終了すると、ワイヤが巻き取られると共に、可動パネルが本体側の収納部に収納される。
【０００３】
しかしながら、このような従来の空調室内機では、可動パネルの昇降時に、室内ファンの運転によって可動パネルが本体側に吸い込まれ、可動パネルのスムーズな昇降を実現できない場合があった。
【特許文献１】特開平１１−２４２３号公報
【発明の開示】
【発明が解決しようとする課題】
【０００４】
本発明の目的は、空調室内機のメンテナンス時や運転開始時に、可動パネルのスムーズな昇降あるいは回動を実現可能な天井設置式の空調室内機を提供することにある。
【課題を解決するための手段】
【０００５】
第１の発明に係る天井設置式の空調室内機は、吸込口及び吹出口を有する本体と、前記吸込口を覆う所定位置を含む複数の位置に移動可能な可動パネルと、前記本体内に配置され、前記吸込口から空気を吸い込むと共に前記吹出口から空気を吹き出すための室内ファンと、前記可動パネルを上下方向に昇降させる駆動機構と、前記室内ファン及び前記駆動機構を制御する制御手段と、空調運転指示を受け付ける受付手段とを備え、前記制御手段は、前記可動パネルの前記所定位置からの離間量が第１所定量以下であるときは前記室内ファンを停止させると共に、前記可動パネルの離間量が前記第１所定量より大きい第２所定量であるときに前記受付手段が前記空調運転指示を受け付けた場合に、前記空調運転指示の受付に同期して前記室内ファンの運転を開始することを特徴としている。
【０００６】
この天井設置式の空調室内機では、空調室内機のメンテナンス等で可動パネルを昇降させる際に、可動パネルの離間量が第１所定量以下であるときに室内ファンの運転による可動パネルの吸い込みを防止できる。このため、空調室内機のメンテナンス時や運転開始時に、可動パネルが本体側に吸い付くことを防止でき、可動パネルのスムーズな昇降を実現できる。
また、この天井設置式の空調室内機では、可動パネルの離間量が第１所定量より大きい第２所定量であるときに受付手段が空調運転指示を受け付けた場合には、受付手段が空調運転指示を受け付けたタイミングで室内ファンの運転を開始できる。このため、可動パネルの離間量が第１所定量より大きい第２所定量であるときに即座に室内ファンの運転を開始できる。
【０００７】
第２の発明に係る天井設置式の空調室内機は、吸込口及び吹出口を有する本体と、前記吸込口を覆う所定位置を含む複数の位置に移動可能な可動パネルと、前記本体内に配置され、前記吸込口から空気を吸い込むと共に前記吹出口から空気を吹き出すための室内ファンと、前記可動パネルを上下方向に昇降させる駆動機構と、前記室内ファン及び前記駆動機構を制御する制御手段と、空調運転指示を受け付ける受付手段とを備え、前記制御手段は、前記可動パネルの前記所定位置からの離間量が第１所定量以下であるときは前記室内ファンを停止させると共に、前記可動パネルの離間量が前記第１所定量以下であるときに前記受付手段が前記空調運転指示を受け付けた場合に、前記可動パネルの離間量が前記第１所定量より大きい第２所定量に達した後で前記室内ファンの運転を開始することを特徴としている。
【０００８】
この天井設置式の空調室内機では、空調室内機のメンテナンス等で可動パネルを昇降させる際に、可動パネルの離間量が第１所定量以下であるときに室内ファンの運転による可動パネルの吸い込みを防止できる。このため、空調室内機のメンテナンス時や運転開始時に、可動パネルが本体側に吸い付くことを防止でき、可動パネルのスムーズな昇降を実現できる。
また、この天井設置式の空調室内機では、可動パネルの離間量が第１所定量以下であるときに前記受付手段が前記空調運転指示を受け付けた場合には、可動パネルの離間量が第１所定量より大きい第２所定量に到達した後で室内ファンの運転を開始できる。このため、可動パネルが本体側に吸い付くことをより確実に防止できると共に、室内ファンの運転制御を容易に実現できる。
【０００９】
第３の発明に係る天井設置式の空調室内機は、吸込口及び吹出口を有する本体と、前記吸込口を覆う所定位置を含む複数の位置に移動可能な可動パネルと、前記本体内に配置され、前記吸込口から空気を吸い込むと共に前記吹出口から空気を吹き出すための室内ファンと、前記所定位置に配置された前記可動パネルを回動させる駆動機構と、前記室内ファン及び前記駆動機構を制御する制御手段と、空調運転指示を受け付ける受付手段とを備え、前記制御手段は、前記可動パネルの前記所定位置からの離間量が第１所定量以下であるときは前記室内ファンを停止させると共に、前記可動パネルの離間量が前記第１所定量より大きい第２所定量であるときに前記受付手段が前記空調運転指示を受け付けた場合に、前記空調運転指示の受付に同期して前記室内ファンの運転を開始することを特徴としている。
【００１０】
この天井設置式の空調室内機では、空調室内機の運転等で、可動パネルの離間量が第１所定量以下であるときに室内ファンの運転による可動パネルの吸い込みを防止できる。このため、空調室内機のメンテナンス時や運転開始時に、可動パネルが本体側に吸い付くことを防止でき、可動パネルのスムーズな回動を実現できる。
また、この天井設置式の空調室内機では、可動パネルの離間量が第１所定量より大きい第２所定量であるときに受付手段が空調運転指示を受け付けた場合には、受付手段が空調運転指示を受け付けたタイミングで室内ファンの運転を開始できる。このため、可動パネルの離間量が第１所定量より大きい第２所定量であるときに即座に室内ファンの運転を開始できる。
【００１１】
第４の発明に係る天井設置式の空調室内機は、吸込口及び吹出口を有する本体と、前記吸込口を覆う所定位置を含む複数の位置に移動可能な可動パネルと、前記本体内に配置され、前記吸込口から空気を吸い込むと共に前記吹出口から空気を吹き出すための室内ファンと、前記所定位置に配置された前記可動パネルを回動させる駆動機構と、前記室内ファン及び前記駆動機構を制御する制御手段と、空調運転指示を受け付ける受付手段とを備え、前記制御手段は、前記可動パネルの前記所定位置からの離間量が第１所定量以下であるときは前記室内ファンを停止させると共に、前記可動パネルが前記所定位置に配置された状態であるときに前記受付手段が前記空調運転指示を受け付けた場合に、前記空調運転指示の受付に同期して前記可動パネルを回動させると共に、前記可動パネルの離間量が前記第１所定量より大きい第２所定量に達した後で前記室内ファンの運転を開始することを特徴としている。
【００１２】
この天井設置式の空調室内機では、空調室内機の運転等で、可動パネルの離間量が第１所定量以下であるときに室内ファンの運転による可動パネルの吸い込みを防止できる。このため、空調室内機のメンテナンス時や運転開始時に、可動パネルが本体側に吸い付くことを防止でき、可動パネルのスムーズな回動を実現できる。
また、この天井設置式の空調室内機では、可動パネルが所定位置に配置された状態であるときに受付手段が空調運転指示を受け付けた場合には、空調運転指示の受付に同期して可動パネルを回動させると共に、可動パネルの離間量が第１所定量より大きい第２所定量に到達した後で室内ファンの運転を開始できる。このため、可動パネルが本体側に吸い付くことをより確実に防止できると共に、室内ファンの運転制御を容易に実現できる。
【００１３】
第５の発明に係る天井設置式の空調室内機は、第１〜第４の発明のいずれかにおいて、前記可動パネルは、前記所定位置に配置された状態において前記吸込口を閉じることを特徴としている。
【００１４】
この天井設置式の空調室内機では、空調室内機の運転開始時に可動パネルが吸込口を開くことで、室内ファンから吹出口に通じる空気流路を形成できる。
【００１５】
第６の発明に係る天井設置式の空調室内機は、第１〜第４の発明のいずれかにおいて、可動パネルは、格子状の格子パネルであることを特徴としている。
【００１６】
この天井設置式の空調室内機では、格子パネルがゴミや埃等によって目詰まりした場合に、室内ファンによる本体側への吸い込みを防止できる点で特に有効である。
【００１７】
【００１８】
【００１９】
【００２０】
【００２１】
第７の発明に係る天井設置式の空調室内機は、第１〜６の発明に係る天井設置式の空調室内機において、駆動機構は、可動パネルの一端を回動可能に支持する支持状態と、可動パネルの一端の支持を解除する支持解除状態とを切り換えるヒンジ連結装置と、可動パネルに連結されたワイヤを繰り出し又は巻き取ることで可動パネルを移動させる昇降装置とを備えていることを特徴としている。
【００２２】
この天井設置式の空調室内機では、可動パネルの昇降動作や回動動作をヒンジ連結装置と昇降装置で構成された簡易な機構で実現できる。
【００２３】
第８の発明に係る天井設置式の空調室内機は、第７の発明に係る天井設置式の空調室内機において、可動パネルの他端を下降不可能に支持するロック状態と、可動パネルの他端のロックを解除するロック解除状態とを切り換えるロック装置を備えていることを特徴としている。
【００２４】
この天井設置式の空調室内機では、可動パネルの昇降動作や回動動作をヒンジ連結装置、昇降装置及びロック装置で構成された簡易な機構で実現できる。
【００２５】
【００２６】
【発明の効果】
【００２７】
第１の発明では、空調室内機のメンテナンス等で可動パネルを昇降させる際に、可動パネルの離間量が第１所定量以下であるときに室内ファンの運転による可動パネルの吸い込みを防止できる。このため、空調室内機のメンテナンス時や運転開始時に、可動パネルが本体側に吸い付くことを防止でき、可動パネルのスムーズな昇降を実現できる。
また、可動パネルの離間量が第１所定量より大きい第２所定量であるときに受付手段が空調運転指示を受け付けた場合には、受付手段が空調運転指示を受け付けたタイミングで室内ファンの運転を開始できる。このため、可動パネルの離間量が第１所定量より大きい第２所定量であるときに即座に室内ファンの運転を開始できる。
【００２８】
また、第２の発明では、空調室内機のメンテナンス等で可動パネルを昇降させる際に、可動パネルの離間量が第１所定量以下であるときに室内ファンの運転による可動パネルの吸い込みを防止できる。このため、空調室内機のメンテナンス時や運転開始時に、可動パネルが本体側に吸い付くことを防止でき、可動パネルのスムーズな昇降を実現できる。
また、可動パネルの離間量が第１所定量以下であるときに前記受付手段が前記空調運転指示を受け付けた場合には、可動パネルの離間量が第１所定量より大きい第２所定量に到達した後で室内ファンの運転を開始できる。このため、可動パネルが本体側に吸い付くことをより確実に防止できると共に、室内ファンの運転制御を容易に実現できる。
【００２９】
また、第３の発明では、空調室内機の運転等で、可動パネルの離間量が第１所定量以下であるときに室内ファンの運転による可動パネルの吸い込みを防止できる。このため、空調室内機のメンテナンス時や運転開始時に、可動パネルが本体側に吸い付くことを防止でき、可動パネルのスムーズな回動を実現できる。
また、可動パネルの離間量が第１所定量より大きい第２所定量であるときに受付手段が空調運転指示を受け付けた場合には、受付手段が空調運転指示を受け付けたタイミングで室内ファンの運転を開始できる。このため、可動パネルの離間量が第１所定量より大きい第２所定量であるときに即座に室内ファンの運転を開始できる。
【００３０】
また、第４の発明では、空調室内機の運転等で、可動パネルの離間量が第１所定量以下であるときに室内ファンの運転による可動パネルの吸い込みを防止できる。このため、空調室内機のメンテナンス時や運転開始時に、可動パネルが本体側に吸い付くことを防止でき、可動パネルのスムーズな回動を実現できる。
また、可動パネルが所定位置に配置された状態であるときに受付手段が空調運転指示を受け付けた場合には、空調運転指示の受付に同期して可動パネルを回動させると共に、可動パネルの離間量が第１所定量より大きい第２所定量に到達した後で室内ファンの運転を開始できる。このため、可動パネルが本体側に吸い付くことをより確実に防止できると共に、室内ファンの運転制御を容易に実現できる。
【００３１】
また、第５の発明では、空調室内機の運転開始時に可動パネルが吸込口を開くことで、室内ファンから吹出口に通じる空気流路を形成できる。
【００３２】
また、第６の発明では、格子パネルがゴミや埃等によって目詰まりした場合に、室内ファンによる本体側への吸い込みを防止できる点で特に有効である。
【００３３】
【００３４】
【００３５】
また、第７の発明では、可動パネルの昇降動作や回動動作をヒンジ連結装置と昇降装置で構成された簡易な機構で実現できる。
【００３６】
また、第８の発明では、可動パネルの昇降動作や回動動作をヒンジ連結装置、昇降装置及びロック装置で構成された簡易な機構で実現できる。
【００３７】
【発明を実施するための最良の形態】
【００３８】
以下図面を参照しながら、本発明の実施形態について説明する。なお、以下の実施形態は、本発明の具体例であって、本発明の技術的範囲を限定するものではない。
【００３９】
図１は、本発明の一実施形態に係る空調室内機の外観斜視図である。図１において、空調室内機２は、下面に吸込口２０ａ及び吹出口２０ｂを有する本体２０と、吸込口２０ａを開閉する可動パネル２４及び吹出口２０ｂを開閉する第１風向調節羽根５２とを備えている。吸込口２０ａと吹出口２０ｂとは一定距離を隔てて隣接しており、吹出口２０ｂから吹き出された空気が吸込口２０ａに吸い込まれる現象、いわゆるショートサーキットが発生しないようになっている。本体２０の下面は、化粧パネル２１によって覆われており、実際に天井面に露出するのは化粧パネル２１であって、吸込口２０ａ及び吹出口２０ｂの輪郭は化粧パネル２１によって形成されている。
【００４０】
図２は、可動パネル２４の回動及び昇降動作を示す説明図である。図２（ａ）は、空調室内機の運転停止時の側面図であり、図２（ｂ）は、その空調室内機の運転時の側面図であり、図２（ｃ）は、メンテナンス時の側面図である。図２（ａ）、（ｂ）、（ｃ）において、空調室内機２が停止しているとき、可動パネル２４は化粧パネル２１と見かけ上一体化している。図２（ｂ）において、空調室内機２が稼動するとき、可動パネル２４は吸込口２０ａを開き、第１風向調節羽根５２は吹出口２０ｂを開く。可動パネル２４の一端は蝶番によって本体２０に支持されており、可動パネル２４は回動して吸込口２０ａを開ける。
【００４１】
また、図２（ｃ）において、可動パネル２４は、本体２０側から延びるワイヤ７１に吊られた状態で使用者の手が届くメンテナンス位置まで降下することができる。但し、可動パネル２４は、一端が蝶番によって本体２０に支持されている状態ではメンテナンス位置まで降下することができないので、一旦、吸込口２０ａを閉じて、本体２０による支持が解除されたのちにメンテナンス位置まで降下する。なお、昇降装置７の詳細については図６、７で、ロック装置８の詳細構造については図８で説明する。
【００４２】
図３は、空調室内機２の断面図である。図３において、空調室内機２は、フィルタ９、フィルタ清掃機構１０、室内熱交換器１２、室内ファン１３、ドレンパン１４及び吹出口モジュール５０をさらに備えている。空調室内機２の運転時、吸込口２０ａ及び吹出口２０ｂが開き、室内ファン１３が回転し、空気が吸込口２０ａから吸い込まれる。
【００４３】
（室内熱交換器１２）
室内熱交換器１２は、２つの熱交換器が異なる傾斜姿勢で隣接した形状をしており、説明の便宜上、上側の熱交換器を上部熱交換器１２ａ、下側の熱交換器を下部熱交換器１２ｂと呼ぶ。
【００４４】
上部熱交換器１２ａの上端は本体２０の内側上部に位置し、上端から下端に向って傾斜する角度は、鉛直線に対して４５°以下に設定されており、結露水が確実に上部熱交換器１２ａを伝わってドレンパン１４に向う。このため、ドレンパン１４は、上部熱交換器１２ａの下方全域に配置される必要が無く、上部熱交換器１２ａの下端近傍の下方にだけ配置されている。
【００４５】
下部熱交換器１２ｂの上端は、上部熱交換器１２ａの下端に近接して配置されており、上端から下端に向って傾斜する角度は、鉛直線に対して４５°を超えている。このため、結露水が直接落下する可能性があるので、ドレンパン１４は、下部熱交換器１２ｂの下方全域に配置されている。
【００４６】
上部熱交換器１２ａは、下部熱交換器１２ｂよりも長い寸法に設定されており、下端コーナーが、下部熱交換器１２ｂの上端中央に近接している。このため、上部熱交換器１２ａを下部熱交換器１２ｂより長くした分量を相殺している。
【００４７】
（室内ファン１３）
室内ファン１３は、クロスフローファンであり、幅寸法が直径よりも長く、回転軸と垂直な方向から空気を吸い込むので、単一の吸込口２０ａから空気を吸い込んで、単一の吹出口２０ｂへ吹き出すことができる。吸い込まれた空気は、フィルタ９及び室内熱交換器１２を通過して室内ファン１３に入る。これ以後、吸込口２０ａから室内ファン１３までの空気流路を吸込流路３１ａと呼ぶ。
【００４８】
室内ファン１３から吹き出された空気は、吹出口モジュール５０を通過して吹出口２０ｂから吹き出される。吹出口２０ｂには、吹出口モジュール５０の構成部品である第１風向調節羽根５２が配置されており、第１風向調節羽根５２は、モータによって傾斜角度の調節が可能であり、運転停止時は、第１風向調節羽根５２が吹出口２０ｂを閉じる。これ以後、室内ファン１３から吹出口２０ｂまでの空気流路を吹出流路（第２吹出流路４１ａ、第１吹出流路５１ａ）と呼ぶ。室内ファン１３とドレンパン１４との間で且つ第２吹出流路４１ａ側には、舌部１５が設けられている。なお、舌部１５は、室内ファン１３及びドレンパン１４とは独立した部材である。
【００４９】
（本体２０）
空調室内機２は、可動パネル２４の上方に、フィルタ清掃機構１０を備えているので、フィルタ清掃機構１０を備えていない標準空調室内機と比較して本体２０の高さ寸法が大きくなる。空調室内機２は、標準空調室内機の本体を利用するために、標準空調室内機の本体に拡張枠を連結している。
【００５０】
＜可動パネル２４の動作に関連する装置＞
図４は、化粧パネル２１の斜視図である。図４に示すように、化粧パネル２１の天井側の面上には、昇降装置７以外に、ヒンジ連結装置６及びロック装置８が配置されている。以下、ヒンジ連結装置６、昇降装置７及びロック装置８の詳細構造について順に説明する。
【００５１】
（ヒンジ連結装置６）
ヒンジ連結装置６は、空調室内機２が稼動するとき、可動パネル２４の一端を回動可能に支持し、可動パネル２４をメンテナンス位置まで降下させるとき、可動パネル２４の一端の支持を解除する。
【００５２】
図５は、ヒンジ連結装置６の分解斜視図である。図５において、ヒンジ連結装置６は、回動部材６１、滑り部材６２、第１ピン６３、ピニオン歯車６４、ヒンジ連結用モータ６５、固定部材６６、第２ピン６７及びネジ６８を有している。回動部材６１は、Ｕ字状の固体物であって、端面から外側に向って棒状の支持軸６１ａが突出している。さらに、回動部材６１の一端部には、軸孔６１ｂが形成されている。
【００５３】
滑り部材６２は、ピニオン歯車６４と噛み合うラック６２ａと、回動部材６１の軸孔６１ｂの両端を挟むアーム６２ｂとが形成されている。さらに、アーム６２ｂには、第１滑り孔６２ｃが形成され、ラック６２ａの根元近傍には、第２滑り孔６２ｄが形成されている。ヒンジ連結用モータ６５は、ステッピングモータであり、ピニオン歯車６４を回転させる。ヒンジ連結用モータ６５は、ネジ６８が通る貫通孔６５ａを有する。ヒンジ連結用モータ６５は、制御部９０に搭載されたモータドライバ回路９０３（図１１）と電気的に接続されている。そして、ヒンジ連結用モータ６５は、モータドライバ回路９０３から供給されるパルス信号によって駆動される。
【００５４】
固定部材６６には、滑り部材６２を滑り移動可能に保持する滑り空間６６ａと、ピニオン歯車６４が挿入される歯車空間６６ｂと、ネジ６８と螺合するネジ孔６６ｃとが形成されている。さらに、滑り空間６６ａを形成する壁には、第１貫通孔６６ｄと第２貫通孔６６ｅとが形成されている。
【００５５】
固定部材６６の滑り空間６６ａに滑り部材６２が配置され、その滑り部材６２のアーム６２ｂに回動部材６１の軸孔６１ｂが挟まれるように配置される。第１ピン６３は、固定部材６６の第１貫通孔６６ｄの一端から挿入され、滑り部材６２の第１滑り孔６２ｃ及び回動部材６１の軸孔６１ｂを通って第１貫通孔６６ｄの他端に出る。
【００５６】
第２ピン６７は、第２貫通孔６６ｅの一端から挿入され、滑り部材６２の第２滑り孔６２ｄを通って第２貫通孔６６ｅの他端に出る。その結果、滑り部材６２は、第１ピン６３及び第２ピン６７に沿って滑り空間を水平移動することができ、回動部材６１は、第１ピン６３を中心に回動することができる。
【００５７】
（ヒンジ連結装置６の動作）
図４、図５において、ヒンジ連結用モータ６５がピニオン歯車６４を回転させると、ピニオン歯車６４と噛み合うラック６２ａに動力が伝達されて滑り部材６２は第１ピン６３に沿って滑り移動し、滑り部材６２の移動に伴って回動部材６１が可動パネル２４の方向、或はその反対の方向へ移動する。ここで説明の便宜上、回動部材６１を可動パネル２４と連結する方向へ移動するようにヒンジ連結用モータ６５が回転することを正転と呼び、回動部材６１と可動パネル２４との連結を解除する方向へ移動するようにヒンジ連結用モータ６５が回転することを逆転と呼ぶ。
【００５８】
可動パネル２４の端部には、回動部材６１に支持軸６１ａと対峙する支持孔（図示せず）が設けられており、ヒンジ連結用モータ６５が正転し、支持軸６１ａが可動パネル２４の支持孔２４ｃに挿入されたときは、回動部材６１と可動パネル２４との連結が成立し、可動パネル２４は、第１ピン６３を中心に回動することができる（支持状態）。
【００５９】
一方、ヒンジ連結用モータ６５が逆転し、支持軸６１ａが可動パネル２４の支持孔２４ｃから抜け出たときは、回動部材６１と可動パネル２４との連結が解消され、可動パネル２４は、第１ピン６３を中心に回動することができない（支持解除状態）。
【００６０】
（昇降装置７）
図６は、昇降装置７の分解斜視図である。図６において、昇降装置７は、ワイヤ７１、滑車７２、ボビン７３、巻取り歯車７４、駆動歯車７５、昇降用モータ７６、スイッチ７７及びケース７８を有している。
【００６１】
滑車７２は、滑車部７２ａとカム部７２ｂとが一体に成形されており、滑車部７２ａは、ワイヤ７１を支え、ワイヤ７１の移動に伴って回転する。カム部７２ｂは、小径曲面と大径曲面とそれら両曲面を結ぶ平面とから成る。
【００６２】
ボビン７３は、ワイヤ７１を巻取る。巻取り歯車７４は、ボビン７３と同軸で連結され一体的に回転する。駆動歯車７５は、巻取り歯車７４と噛み合いボビン７３を回転させる。
【００６３】
昇降用モータ７６は、駆動歯車７５を回転させるためのステッピングモータであり、制御部９０（図１１）に搭載されたモータドライバ回路９０４と電気的に接続されている。そして、昇降用モータ７６は、モータドライバ回路９０４から供給されるパルス信号によって駆動される。
【００６４】
スイッチ７７は、レバー７７ａを有するマイクロスイッチであり、レバー７７ａが押されることによってオンする。レバー７７ａは、常に滑車７２のカム部７２ｂと接触しており、カム部７２ｂの大径曲面と対峙したときに押される。スイッチ７７も、制御部９０（図１１）と電気的に接続されている。
【００６５】
ケース７８は、支持ケース７８ａとカバー７８ｂとに分割されている。支持ケース７８ａには、滑車７２を支持する第１軸７９ａ、ボビン７３と巻取り歯車７４とを支持する第２軸７９ｂ、スイッチ７７を支持する第３軸７９ｃが形成されている。カバー７８ｂは、支持ケース７８ａに支持された各部品を覆って保護する。
【００６６】
（昇降装置７の動作）
図７は、昇降装置７内部の部品の配置図である。図７において、昇降装置７がワイヤ７１を繰り出す場合、昇降用モータ７６は駆動歯車７５をＣＣＷ方向へ回転させ、巻取り歯車７４をＣＷ方向へ回転させる。これによって、ボビン７３がワイヤ７１を繰り出す方向に回転する。
【００６７】
一方、昇降装置７がワイヤ７１を巻き取る場合、昇降用モータ７６は駆動歯車７５をＣＷ方向へ回転させ、巻取り歯車７４をＣＣＷ方向へ回転させる。これによって、ボビン７３がワイヤ７１を巻き取る方向に回転する。ワイヤ７１の繰り出し量および巻き取り量は、昇降用モータ７６の回転量に比例しており、制御部９０が、昇降用モータ７６へ供給するパルス信号を制御することによって、ワイヤ７１の繰り出し量および巻き取り量が制御される。
【００６８】
ワイヤ７１の先端には可動パネル２４が連結されるため、ワイヤ７１には常に張力が発生しており、ワイヤ７１が繰り出されるとき、又はワイヤ７１が巻き取られるとき、滑車部７２ａがワイヤ７１との摩擦力によって回転する。このとき、カム部７２ｂも回転するので、スイッチ７７は、レバー７７ａがカム部７２ｂの大径曲面と対峙したときにオン信号を発し、レバー７７ａが小径曲面と対峙したときにはオフ信号を発する。滑車７２が回転している間は、オン信号とオフ信号が交互に発生し、これらの信号は、すべて制御部９０に入力される。
【００６９】
（ロック装置８）
可動パネル２４が吸込口２０ａを閉じているとき、可動パネル２４を本体２０に支持しているのは、ヒンジ連結装置６と昇降装置７である。不測の要因で、ヒンジ連結装置６が誤動作し可動パネル２４の支持を解除し、昇降装置７のワイヤ７１が緩んでしまったときでも可動パネル２４が落下しないように、空調室内機２はロック装置８をさらに備えている。
【００７０】
図８は、ロック装置８の斜視図である。図８において、ロック装置８は、可動体８１、第１保持部８２、第２保持部８３、ロック用モータ８４及びスプリング８５を有している。可動体８１は、四角柱形状を成し、その一端には傾斜面８１１が形成され、全長が最長である長側面８１２には所定の歯車と噛み合うラック８１ａが形成され、ラック８１ａの下方には中空部８１ｂが形成されている。可動体８１は、長側面８１２を鉛直上方に向け、第１保持部８２に移動可能な状態で保持されている。
【００７１】
第１保持部８２は、上面と一側面とが開放された直方体形状の筐体であり、底面に案内溝８２ａが形成されており、可動体８１がその案内溝８２ａに沿って水平移動する。案内溝８２ａの両端は壁８２１、８２２で挟まれており、一方の壁８２１には可動体８１が通る貫通口８２ｂが形成されている。案内溝８２ａの両端を挟む壁８２１、８２２には壁８２３が隣接しており、壁８２３には、案内溝８２ａと直交する方向に突出する板状突起８２ｃが形成されている。可動体８１は第１保持部８２に保持されているとき、傾斜面８１１は常に第１保持部８２の外側に位置し、ラック８１ａは常に第１保持部８２の内部に位置する。そして、第１保持部８２の板状突起８２ｃは、可動体８１の中空部８１ｂを貫通している。
【００７２】
壁８２３は、ロック用モータ８４を固定し、ロック用モータ８４の回転軸に連結されたピニオン歯車８４ａを回転可能に支持している。ピニオン歯車８４ａは、可動体８１のラック８１ａと噛み合い、ラック＆ピニオン機構を成している。可動体８１の中空部８１ｂには、スプリング８５が収納されている。スプリング８５は、圧縮コイルスプリングであって、中空部８１ｂの端部と板状突起８２ｃとで挟まれている。
【００７３】
第２保持部８３は、可動体８１が通る案内孔８３ａが形成された固体物であって、可動パネル２４側に設置される。第２保持部８３の上面には滑らかな曲面８３１が形成されている。ロック用モータ８４は、制御部９０（図１１）に搭載されたモータドライバ回路９０５と電気的に接続されている。そして、ロック用モータ８４は、モータドライバ９４（図１１）から供給されるパルス信号によって駆動される。
【００７４】
（ロック装置８の動作）
図８において、可動体８１は、第１保持体８２と第２保持体８３に保持された状態であり、その状態でロック用モータ８４がピニオン歯車８４ａをＣＣＷ方向へ回転させたとき、ピニオン歯車８４ａの回転運動はラック８１ａによって直線運動に変換され、可動体８１が壁８２２に向って滑り移動する。可動体８１が所定距離移動したとき、可動体８１は第２保持部８３の案内孔８３ａから離れる。可動体８１を保持しない第２保持体８３は、上下方向の移動が許容されるので、可動パネル２４の降下を妨げない（ロック解除状態）。
【００７５】
可動体８１の移動によって、中空部８１ｂの側面と板状突起８２ｃとの距離が短くなるので、スプリング８５は圧縮され反発力を貯える。ロック用モータ８４は、電力が供給されている間、スプリング８５の増加する反発力に抗して回転するが、電力が供給されなくなったとき、スプリング８５の反発力によって逆回転し、可動体８１は元の位置へ復帰する。
【００７６】
可動パネル２４が降下せず第２保持部８３が移動していないとき、可動体８１は第２保持部８３の案内孔８３ａに入る。一方、可動パネル２４が降下して第２保持部８３が移動しているとき、第２保持部８３が復帰する軌道上で待機する。そして、可動パネル２４が上昇して吸込口２０ａを閉じたとき、第２保持部８３は、曲面８３１を可動体８１の傾斜面８１１に当てて、可動体８１を押しのけて復帰する。
【００７７】
第２保持部８３に押された可動体８１は、水平移動しスプリング８５を圧縮する。第２保持部８３が完全に復帰したとき、可動体８１は、第２保持部８３の案内孔８３ａを貫通する。その結果、可動体８１が可動パネル２４の降下を妨げることになる（ロック状態）。
【００７８】
（可動パネルの開閉動作）
図９は、可動パネル２４が吸込口を開いた状態の斜視図である。図９において、ヒンジ連結装置６が可動パネル２４を連結した状態で、ロック装置８がロックを解除し、昇降装置７がワイヤ７１を繰り出したとき、可動パネル２４は自重によって降下する。しかし、可動パネル２４の端部はヒンジ連結装置６に連結されているので、可動パネル２４は端部を軸として吸込口２０ａを開く方向へ回動する。
【００７９】
一方、昇降装置７がワイヤ７１を巻き取るとき、可動パネル２４は上昇するが、可動パネル２４の端部がヒンジ連結装置６に連結されているので、可動パネル２４は端部を軸として吸込口２０ａを閉じる方向へ回動する。可動パネル２４が吸込口２０ａを完全に閉じたとき、ロック装置８が可動パネル２４をロックする。
【００８０】
（可動パネルの昇降動作）
図１０は、可動パネル２４が降下している状態の斜視図である。図１０において、ヒンジ連結装置６が可動パネル２４の端部との連結を解除し、ロック装置８が可動パネル２４のロックを解除し、昇降装置７がワイヤ７１を繰り出したとき、可動パネル２４は自重によって降下する。一方、昇降装置７がワイヤ７１を巻き取るとき、可動パネル２４は上昇し、可動パネル２４が吸込口２０ａを完全に閉じたとき、ロック装置８が可動パネル２４をロックする。
【００８１】
図１１は、空気調和機２の要部を示すブロック図である。制御部９０（制御手段）には、室内ファン１３を運転制御するファン運転制御部９０１と、リモートコントローラ９１と有線又は無線により通信可能に接続された運転指示受付部９０２（受付手段）と、ヒンジ連結用モータ６５と電気的に接続されたモータドライバ回路９０３と、昇降用モータ７６と電気的に接続されたモータドライバ回路９０４と、ロック用モータ８４と電気的に接続されたモータドライバ回路９０５とが搭載されている。
【００８２】
ヒンジ連結用モータ６５は、モータドライバ回路９０３によって駆動される。そして、ヒンジ連結用モータ６５の正転によって、可動パネル２４（図２）は、第１ピン６３（図５）を中心に回動することができる。一方、ヒンジ連結用モータ６５の逆転によって、可動パネル２４は、第１ピン６３を中心に回動することが規制される。
【００８３】
昇降用モータ７６は、モータドライバ回路９０４によって駆動される。そして、昇降用モータ７６が駆動歯車７５（図６）をＣＣＷ方向へ回転させることによって、昇降装置７はワイヤ７１（図６）を繰り出すことができる。一方、昇降モータ７６が駆動歯車７５をＣＷ方向へ回転させることによって、昇降装置７はワイヤ７１を巻き取ることができる。
【００８４】
ロック用モータ８４は、モータドライバ回路９０５によって駆動される。そして、ロック用モータ８４がピニオン歯車８４ａ（図８）をＣＣＷ方向へ回転させることによって、ロック装置８は可動パネル２４の降下させることができる。一方、ロック用モータ８４がスプリング８５の反発力によって逆回転することで、ロック装置８は可動パネル２４の降下を規制することができる。
【００８５】
図１２〜図２１は、室内ファン１３の動作と可動パネル２４の動作の関係を示す説明図である。
【００８６】
図１２は、室内ファン１３の運転開始タイミングと可動パネル２４の開動作との関係を示している。この例では、時刻ｔ１において、空調室内機２も室内ファン１３も共に停止しており、可動パネル２４は吸込口２０ａを閉じる位置に配置された状態で本体２０に収納されている（パネル収納状態）。この収納状態では、ワイヤ７１は繰り出し量が最小値０に達した状態で昇降装置７に巻き取られている。
【００８７】
時刻ｔ２において、運転指示受付部９０２（図１１）が空調室内機２の運転指示を受け付ける。この受付に同期して、昇降装置７によるワイヤ７１の繰り出しが開始され、吸込口２０ａを開く方向に可動パネル２４の回動が開始される。そして、時刻ｔ３においてワイヤ７１の繰り出し量（離間量）がＳ１（第１所定量）に達したタイミングで、室内ファン１３の運転が開始される。
【００８８】
この例では、ワイヤ７１の繰り出し量がファンＯＮ禁止開度である時刻ｔ２から時刻ｔ３までの期間に、室内ファン１３を運転することを防止できる。なお、本発明において、「ファンＯＮ禁止開度」とは、ワイヤ７１の繰り出し量がＳ１（第１所定量）以下となる場合であって、可動パネル２４が室内ファン１３の運転によって本体２０側に吸い込まれる状態を意味する。したがって、本実施形態では、可動パネル２４の回動時に可動パネル２４が本体２０側に吸い付くことを防止でき、可動パネル２４のスムーズな開動作を実現できる。そして、時刻ｔ４においてワイヤ７１の繰り出し量がＳ２に達したタイミングで、可動パネル２４は吸込口２０ａを完全に開く（パネル開状態）。
【００８９】
図１３は、室内ファン１３の運転開始タイミングと可動パネル２４の開動作との関係を示している。この例では、図１２と異なり、室内ファン１３の運転は、ワイヤ７１の繰り出し量（離間量）がＳ２（第２所定量）である時刻ｔ４において開始される。この例では、図１２と同様に、ワイヤ７１の繰り出し量がファンＯＮ禁止開度である時刻ｔ２から時刻ｔ３までの期間に、室内ファン１３を運転することを防止できる。さらに、可動パネル２４が吸込口２４を完全に開いたタイミングで室内ファン１３の運転を開始できるため、室内ファン１３の運転制御を容易に実現できる。
【００９０】
図１４は、室内ファン１３の運転開始タイミングと可動パネル２４の開動作との関係を示している。この例では、図１３と異なり、室内ファン１３の運転は、ワイヤ７１の繰り出し量（離間量）がＳ２（第２所定量）になった時刻ｔ４より後である時刻ｔ５において開始される。この例では、図１２と同様に、ワイヤ７１の繰り出し量がファンＯＮ禁止開度である時刻ｔ２から時刻ｔ３までの期間に、室内ファン１３を運転することを防止できる。さらに、可動パネル２４が吸込口２４を完全に開いた後で室内ファン１３の運転を開始できるため、室内ファン１３の運転制御を容易に実現できる。
【００９１】
図１５は、室内ファン１３の運転停止タイミングと可動パネル２４の閉動作との関係を示している。この例では、時刻ｔ１において、空調室内機２も室内ファン１３も共に運転中である。また、この初期状態では、可動パネル２４が開いた状態でワイヤ７１の繰り出し量はＳ２に達している（パネル開状態）。そして、時刻ｔ２において、運転指示受付部９０２（図１１）が空調室内機２の運転停止指示を受け付ける。この受付に同期して、可動パネル２４を本体２０に収納するためにワイヤ７１の巻き取りが開始される。
【００９２】
その後、ワイヤ７１の繰り出し量（離間量）がＳ１（第１所定量）である時刻ｔ３において、室内ファン１３の運転が停止される。そして、時刻ｔ４においてワイヤ７１の繰り出し量が０に達したタイミングで、可動パネル２４の収納が完了する（パネル収納状態）。このように、本実施形態では、ワイヤ７１の繰り出し量がファンＯＮ禁止開度である時刻ｔ３から時刻ｔ４までの期間に、室内ファン１３を運転することを防止できる。このため、可動パネル２４が本体２０側に吸い付くことを防止でき、可動パネル２４のスムーズな閉動作を実現できる。
【００９３】
図１６は、室内ファン１３の運転停止タイミングと可動パネル２４の閉動作との関係を示している。この例では、図１５と異なり、室内ファン１３の運転は、運転指示受付部９０２（図１１）が空調室内機２の運転停止指示を受け付ける時刻ｔ２において停止される。この例では、ワイヤ７１の繰り出し量（離間量）がＳ２（第２所定量）であってファンＯＮ禁止開度に到達する前に室内ファン１３の運転を停止させることができる。このため、可動パネル２４が本体２０側に吸い付くことをより確実に防止できる。
【００９４】
図１７は、室内ファン１３の運転開始タイミングと可動パネル２４の上昇動作及び開動作との関係を示している。この例では、時刻ｔ１において、空調室内機２も室内ファン１３も共に停止中であり、可動パネル２４はメンテナンス位置まで降下し、ワイヤ７１の繰り出し量は最大のＳmaxに達している。そして、この時刻ｔ１において、可動パネル２４を上昇させて本体２０に収納するためにワイヤ７１の巻き取りが開始される。
【００９５】
時刻ｔ２において、運転指示受付部９０２は空調室内機２の運転指示を受け付ける。そして、時刻ｔ３において、ワイヤ７１の繰り出し量（離間量）がＳ１（第１所定量）に達した後も、さらにワイヤ７１が巻き取られ、時刻ｔ４において、その繰り出し量は最小値０である。この時刻ｔ４において、可動パネル２４は本体２０に一旦収納されると共に、吸込口２０ａを開く方向に回動する。時刻ｔ５において、ワイヤ７１の繰り出し量（離間量）がＳ１（第１所定量）に達したタイミングで室内ファン１３の運転が開始される。
【００９６】
時刻ｔ６において、ワイヤ７１の繰り出し量がＳ２に達し、可動パネル２４は吸込口２０ａを完全に開く（パネル開状態）。このように、本実施形態では、ワイヤ７１の繰り出し量がファンＯＮ禁止開度である時刻ｔ３から時刻ｔ５までの期間に、室内ファン１３を運転することを防止できる。このため、可動パネル２４が本体２０側に吸い付くことを防止でき、可動パネル２４のスムーズな上昇動作及び開動作を実現できる。
【００９７】
図１８は、室内ファン１３の運転開始タイミングと可動パネル２４の上昇動作及び開動作との関係を示している。この例では、図１７と異なり、室内ファン１３の運転は、ワイヤ７１の繰り出し量（離間量）がＳ２（第２所定量）である時刻ｔ６において開始される。この例では、図１７と同様に、ワイヤ７１の繰り出し量がファンＯＮ禁止開度である時刻ｔ３から時刻ｔ５までの期間に、室内ファン１３を運転することを防止できる。さらに、可動パネル２４が吸込口２４を完全に開いたタイミングで室内ファン１３の運転を開始できるため、室内ファン１３の運転制御を容易に実現できる。
【００９８】
図１９は、室内ファン１３の運転開始タイミングと可動パネル２４の上昇動作及び開動作との関係を示している。この例では、図１８と異なり、室内ファン１３の運転は、ワイヤ７１の繰り出し量（離間量）がＳ２（第２所定量）になった時刻ｔ６より後である時刻ｔ７において開始される。この例では、図１８と同様に、ワイヤ７１の繰り出し量がファンＯＮ禁止開度である時刻ｔ３から時刻ｔ５までの期間に、室内ファン１３を運転することを防止できる。さらに、可動パネル２４が吸込口２４を完全に開いた後で室内ファン１３の運転を開始できるため、室内ファン１３の運転制御を容易に実現できる。
【００９９】
図２０は、室内ファン１３の運転開始タイミングと可動パネル２４の下降動作との関係を示している。この例では、時刻ｔ１において、空調室内機２も室内ファン１３も共に停止しており、可動パネル２４は、ワイヤ７１の繰り出し量が最小値０に達した状態で本体２０に収納されている（パネル収納状態）。この初期状態から、可動パネル２４をメンテナンス位置まで降下させるためにワイヤ７１の繰り出しが開始される。
【０１００】
時刻ｔ２において、運転指示受付部９０２は空調室内機２の運転指示を受け付ける。受付後も、さらにワイヤ７１が繰り出され、時刻ｔ３において、その繰り出し量（離間量）がＳ１（第１所定量）に到達したタイミングで、室内ファン１３の運転が開始される。そして、時刻ｔ４において、ワイヤ７１の繰り出し量は最大値Ｓmaxに達し、可動パネル２４はメンテナンス位置に到達する。この例では、ワイヤ７１の繰り出し量がファンＯＮ禁止開度である時刻ｔ１から時刻ｔ３までの期間に、室内ファン１３を運転することを防止できる。このため、可動パネル２４が本体２０側に吸い付くことを防止でき、可動パネル２４のスムーズな下降動作を実現できる。
【０１０１】
図２１は、室内ファン１３の運転開始タイミングと可動パネル２４の下降動作との関係を示している。この例では、図２０と異なり、室内ファン１３の運転は、ワイヤ７１の繰り出し量（離間量）がＳmax（第２所定量）である時刻ｔ４において開始される。この例では、図２０と同様に、ワイヤ７１の繰り出し量がファンＯＮ禁止開度である時刻ｔ１から時刻ｔ３までの期間に、室内ファン１３を運転することを防止できる。さらに、可動パネル２４がメンテナンス位置に到達したタイミングで室内ファン１３の運転を開始できるため、室内ファン１３の運転制御を容易に実現できる。
【０１０２】
図２２は、室内ファン１３の運転開始及び運転停止タイミングと可動パネル２４の上昇動作及び開動作との関係を示している。この例では、時刻ｔ１において、可動パネル２４は、ワイヤ７１の繰り出し量（離間量）が最大値Ｓmax（第２所定量）であると共に、運転指示受付部９０２が空調室内機２の運転指示を受け付けて、室内ファン１３の運転が開始される。このため、運転指示の受付に同期して即座に室内ファン１３の運転を開始できる。
【０１０３】
この初期状態から、可動パネル２４を本体２０に収納するためにワイヤ７１の巻き取りが開始される。そして、ワイヤ７１の繰り出し量（離間量）がＳ１（第１所定量）である時刻ｔ２において、室内ファン１３の運転が停止される。室内ファン１３の運転停止後も、さらにワイヤ７１が巻き取られ、時刻ｔ３において、ワイヤ７１の繰り出し量が最小値０に達し、可動パネル２４は本体２０に一旦収納されると共に（パネル収納状態）、吸込口２０ａを開く方向に回動する。そして、室内ファン１３の運転は、ワイヤ７１の繰り出し量（離間量）がＳ１（第１所定量）である時刻ｔ４に再開される。
【０１０４】
運転再開後の時刻ｔ５において、ワイヤ７１の繰り出し量はＳ２に達し、可動パネル２４は吸込口２０ａを完全に開く（パネル開状態）。この例では、ワイヤ７１の繰り出し量がファンＯＮ禁止開度である時刻ｔ２から時刻ｔ４までの期間に、室内ファン１３を運転することを防止できる。このため、可動パネル２４が本体２０側に吸い付くことを防止でき、可動パネル２４のスムーズな上昇動作及び開動作を実現できる。
【０１０５】
図２３は、室内ファン１３の運転開始及び運転停止タイミングと可動パネル２４の閉動作及び下降動作との関係を示している。この例では、時刻ｔ１において、ワイヤ７１の繰り出し量（離間量）は、可動パネル２４が吸込口２０ａを開いた状態でＳ２（第２所定量）であると共に（パネル開状態）、運転指示受付部９０２が空調室内機２の運転指示を受け付けて、室内ファン１３の運転が開始される。このため、運転指示の受付に同期して即座に室内ファン１３の運転を開始できる。
【０１０６】
時刻ｔ２において、可動パネル２４で吸込口２０ａを閉じるためにワイヤ７１の巻き取りが開始される。そして、ワイヤ７１の繰り出し量（離間量）がＳ１（第１所定量）である時刻ｔ３において、室内ファン１３の運転が停止される。室内ファン１３の運転停止後も、さらにワイヤ７１が巻き取られ、時刻ｔ４において、ワイヤ７１の繰り出し量が最小値０に達し、可動パネル２４は吸込口２０ａを一旦閉じると共に（パネル収納状態）、メンテナンス位置への下降を開始する。
【０１０７】
そして、ワイヤ７１の繰り出し量（離間量）がＳ１（第１所定量）である時刻ｔ５において、室内ファン１３の運転が再開される。運転再開後の時刻ｔ６において、ワイヤ７１の繰り出し量はＳmaxに達し、可動パネル２４はメンテナンス位置に到達する。このように、本実施形態では、ワイヤ７１の繰り出し量がファンＯＮ禁止開度である時刻ｔ３から時刻ｔ５までの期間に、室内ファン１３を運転することを防止できる。このため、可動パネル２４が本体２０側に吸い付くことを防止でき、可動パネル２４のスムーズな閉動作及び下降動作を実現できる。
【０１０８】
以上、本発明の実施形態について図面に基づいて説明したが、具体的な構成は、これらの実施形態に限定されるものでないと考えられるべきである。本発明の範囲は、上述した実施形態の説明だけではなく特許請求の範囲によって示され、さらに特許請求の範囲と均等の意味及び範囲内でのすべての変更が含まれる。
【０１０９】
なお、図２４に示すように、可動パネル２４は格子状の格子パネルとして形成されてもよい。この格子パネルが埃やゴミ等によって目詰まりした場合に、室内ファン１３による本体２０側への吸い込みを防止できる点で特に有効である。
【産業上の利用可能性】
【０１１０】
本発明を利用すれば、空調室内機のメンテナンス時や運転開始時に、可動パネルのスムーズな昇降あるいは回動を実現可能な天井設置式の空調室内機を提供できる。
【図面の簡単な説明】
【０１１１】
【図１】本発明の一実施形態に係る空調室内機の外観斜視図である。
【図２】可動パネルの回動及び降下動作を示す説明図である。
【図３】空調室内機の断面図である。
【図４】化粧パネルの斜視図である。
【図５】ヒンジ連結装置の分解斜視図である。
【図６】昇降装置の分解斜視図である。
【図７】昇降装置内部の部品の配置図である。
【図８】ロック装置の斜視図である。
【図９】可動パネルが吸込口を開いた状態の斜視図である。
【図１０】可動パネルが降下している状態の斜視図である。
【図１１】空気調和機の要部を示すブロック図である。
【図１２】室内ファンの運転開始タイミングと可動パネルの開動作との関係を示す説明図である。
【図１３】室内ファンの運転開始タイミングと可動パネルの開動作との関係を示す説明図である。
【図１４】室内ファンの運転開始タイミングと可動パネルの開動作との関係を示す説明図である。
【図１５】室内ファンの運転停止タイミングと可動パネルの閉動作との関係を示す説明図である。
【図１６】室内ファンの運転停止タイミングと可動パネルの閉動作との関係を示す説明図である。
【図１７】室内ファンの運転開始タイミングと可動パネルの上昇動作及び開動作との関係を示す説明図である。
【図１８】室内ファンの運転開始タイミングと可動パネルの上昇動作及び開動作との関係を示す説明図である。
【図１９】室内ファンの運転開始タイミングと可動パネルの開動作との関係を示す説明図である。
【図２０】室内ファンの運転開始タイミングと可動パネルの下降動作との関係を示す説明図である。
【図２１】室内ファンの運転開始タイミングと可動パネルの下降動作との関係を示す説明図である。
【図２２】室内ファンの運転開始及び運転停止タイミングと可動パネルの上昇動作及び開動作との関係を示す説明図である。
【図２３】室内ファンの運転開始及び運転停止タイミングと可動パネルの閉動作及び下降動作との関係を示す説明図である。
【図２４】化粧パネルの斜視図である。
【符号の説明】
【０１１２】
２  空調室内機
６  ヒンジ連結装置（駆動機構）
７  昇降機構（駆動機構）
８  ロック装置（駆動機構）
１３  室内ファン
２０  本体
２０ａ  吸込口
２０ｂ  吹出口
２１  化粧パネル
２４  可動パネル
９０  制御部（制御手段）
９１  リモートコントローラ
９０２  運転指示受付部（受付手段）